(57)【要約】操作受付装置１は、タッチパネル部１１を透過する環境光の光強度が所定値未満である場合、ドーム状のタッチパネル部１１に接触した操作者の手の部位を手のひらと識別し、光強度が所定値以上である場合、指先と識別する。操作受付装置１は、手のひらと識別した場合、受像機２の映像選択操作に応じてタッチパネル部１１に対する手のひらによる回転摺動操作を受付け、受像機２のチャンネル切替操作に対応して手のひらによる直線摺動操作を受付ける。操作受付装置１は、指先と識別した場合、受像機２が録画再生装置５の再生動作を制御する操作に応じてタッチパネル部１１に対する指先による回転摺動操作又は直線摺動操作を受付ける。
2010067537.tif 000002
【特許請求の範囲】
【請求項１】
接触位置を検出するタッチパネルを備え、該タッチパネルが検出した接触位置に基づいて、複数の操作を受付ける操作受付装置において、
前記タッチパネルが検出した接触位置に基づいて、操作者の手をなす複数の部位のうち前記タッチパネルに接触した部位を特定する部位特定手段と、
該部位特定手段が特定した部位に基づいて、前記複数の操作のうち少なくとも１つの操作を特定する操作特定手段と、
前記タッチパネルが検出した接触位置に基づいて、前記操作特定手段が特定した操作を受付ける操作受付手段と
を備えることを特徴とする操作受付装置。
【請求項２】
前記タッチパネルは、複数の接触位置を検出可能にしてあり、
前記部位特定手段は、前記タッチパネルが検出した接触位置の個数に基づいて前記部位を特定するよう構成してある
ことを特徴とする請求項１に記載の操作受付装置。
【請求項３】
接触位置を検出するタッチパネルを備え、該タッチパネルが検出した接触位置に基づいて、複数の操作を受付ける操作受付装置において、
前記タッチパネルの背面に配してあり、前記タッチパネルを透過する光の光強度を検出する光強度検出手段と、
該光強度検出手段が検出した光強度に基づいて、操作者の手をなす複数の部位のうち前記タッチパネルに接触した部位を特定する部位特定手段と、
該部位特定手段が特定した部位に基づいて、前記複数の操作のうち少なくとも１つの操作を特定する操作特定手段と、
前記タッチパネルが検出した接触位置に基づいて、前記操作特定手段が特定した操作を受付ける操作受付手段と
を備えることを特徴とする操作受付装置。
【請求項４】
前記タッチパネルはドーム状をなすことを特徴とする請求項１から請求項３までのいずれか一項に記載の操作受付装置。
【請求項５】
前記複数の部位は、手のひら及び指先であり、
前記部位特定手段は、手のひら又は指先を識別するよう構成してある
ことを特徴とする請求項１から請求項４までのいずれか一項に記載の操作受付装置。
【請求項６】
前記タッチパネルはドーム状をなし、
前記操作受付手段は、前記部位特定手段が手のひらを識別した場合、前記タッチパネルのドーム経線に略平行な摺動操作又は前記タッチパネルのドーム頂点を略中心として回転する摺動操作を受付けるよう構成してあることを特徴とする請求項５に記載の操作受付装置。
【請求項７】
前記タッチパネルの背面に配してあり、操作画面を表示する表示部を備え、
前記操作受付手段は、前記部位特定手段が指先を識別した場合、前記操作画面に応じた操作を受付けるよう構成してある
ことを特徴とする請求項５又は請求項６に記載の操作受付装置。
【請求項８】
前記部位特定手段が特定した部位に基づいて、被操作機器が有する複数の機能のうち少なくとも１つの機能を特定する機能特定手段を備え、
前記操作受付手段は、前記機能特定手段が特定した機能に対応する操作を受付けるよう構成してあることを特徴とする請求項１から請求項７までのいずれか一項に記載の操作受付装置。
【請求項９】
タッチパネルが検出した接触位置に基づいて、複数の操作を受付ける操作受付装置が備えるコンピュータに、前記複数の操作のうち少なくとも１つの操作を特定させるコンピュータプログラムにおいて、
コンピュータに、
前記タッチパネルが検出した接触位置に基づいて、操作者の手をなす複数の部位のうち前記タッチパネルに接触した部位を特定する部位特定ステップと、
該部位特定ステップが特定した部位に基づいて、前記複数の操作のうち少なくとも１つの操作を特定する操作特定ステップと
を実行させるコンピュータプログラム。
【請求項１０】
タッチパネルが検出した１つ又は複数の接触位置に基づいて、複数の操作を受付ける操作受付装置が備えるコンピュータに、前記複数の操作のうち少なくとも１つの操作を特定させるコンピュータプログラムにおいて、
コンピュータに、
前記タッチパネルが検出した接触位置の個数に基づいて、操作者の手をなす複数の部位のうち前記タッチパネルに接触した部位を特定する部位特定ステップと、
該部位特定ステップが特定した部位に基づいて、前記複数の操作のうち少なくとも１つの操作を特定する操作特定ステップと
を実行させるコンピュータプログラム。
【請求項１１】
タッチパネルの背面に配してある光強度検出部が検出した光強度に基づいて、複数の操作を受付ける操作受付装置が備えるコンピュータに、前記複数の操作のうち少なくとも１つの操作を特定させるコンピュータプログラムであって、
コンピュータに、
前記光強度検出部が検出した光強度に基づいて、操作者の手をなす複数の部位のうち前記タッチパネルに接触した部位を特定する部位特定ステップと、
該部位特定ステップが特定した部位に基づいて、前記複数の操作のうち少なくとも１つの操作を特定する操作特定ステップと
を実行させるコンピュータプログラム。
【発明の詳細な説明】
【技術分野】
【０００１】
本発明は、タッチパネルに触れた操作者の手の部位を特定し、特定した部位に対応する操作を受付ける操作受付装置及びコンピュータプログラムに関する。
【背景技術】
【０００２】
近年、タッチパネルを用いた操作受付装置が、駅の券売機及び銀行のＡＴＭ（ Automated Teller Machine ）等の端末装置、映像機器を遠隔操作する遠隔操作装置及び携帯電話等の電子機器に広く採用されている。これらの操作受付装置は、タッチパネルが検出した物理的接触に基づいて複数の操作を受付けるようにしてある。例えば、特許文献１に記載の操作受付装置は、短冊状に分割された抵抗膜を有するタッチパネルを備えることにより、ペン先及び爪先等による小さい接触面積が検出された場合及び指の腹等による広い接触面積が検出された場合夫々に応じて異なる操作を受付可能にしてある。特許文献２に記載の操作受付装置は、タッチパネルが検出する押下圧力が所定の閾値未満及び閾値以上である場合夫々に応じてドラッグ操作及びクリック操作からなる異なる操作を受付可能にしてある。特許文献３に記載の操作受付装置は、タッチパネルに接触した２つの指先の間隔等を変えることにより、複数の異なる操作を受付可能にしてある。【０００３】
これらの従来の操作受付装置が備えるタッチパネルは、平面状のパネル面を有している。そこで、タッチパネルのパネル面を曲面状に形成して指先、ペン先及び指の腹の他に手のひらによる操作を受付けることにより、複数の操作を受付可能にする操作受付装置が考えられる。特許文献４には、ドーム状、すり鉢状及びアーチ状等の曲面形状を有する静電容量方式のタッチパネルを備えることにより、操作者が手触りでタッチパネルに触れてパネル面を視認することなく操作可能にした操作受付装置が記載されている。
【特許文献１】特開２００４−２１３３１２号公報
【特許文献２】特開２００５−１９６８１０号公報
【特許文献３】特表２００８−５０８６０１号公報
【特許文献４】国際公開第２００７／０９９７３３号パンフレット
【発明の開示】
【発明が解決しようとする課題】
【０００４】
しかしながら、特許文献４に記載の操作受付装置は、タッチパネルに接触している操作者の手の部位に関わらず操作を受付けようにしてあり、操作者の手の部位に応じた複数の操作、例えば、手のひらによる操作及び指先による操作夫々を受付けることができないという問題があった。【０００５】
本発明は斯かる事情に鑑みてなされたものであり、操作者の手をなす複数の部位のうちタッチパネルに接触した部位を特定する部位特定手段と、特定した部位に基づいて受付ける操作を特定する操作特定手段とを備えることにより、操作者の手の複数の部位夫々に対応した複数の操作を受付可能にする操作受付装置及びコンピュータプログラムを提供することを目的とする。
【課題を解決するための手段】
【０００６】
本発明に係る操作受付装置は、接触位置を検出するタッチパネルを備え、該タッチパネルが検出した接触位置に基づいて、複数の操作を受付ける操作受付装置において、前記タッチパネルが検出した接触位置に基づいて、操作者の手をなす複数の部位のうち前記タッチパネルに接触した部位を特定する部位特定手段と、該部位特定手段が特定した部位に基づいて、前記複数の操作のうち少なくとも１つの操作を特定する操作特定手段と、前記タッチパネルが検出した接触位置に基づいて、前記操作特定手段が特定した操作を受付ける操作受付手段とを備えることを特徴とする。【０００７】
本発明にあっては、タッチパネルに接触した操作者の手の部位に応じた操作が受付けられる。【０００８】
本発明に係る操作受付装置は、前記タッチパネルは、複数の接触位置を検出可能にしてあり、前記部位特定手段は、前記タッチパネルが検出した接触位置の個数に基づいて前記部位を特定するよう構成してあることを特徴とする。【０００９】
本発明にあっては、タッチパネルが検出した接触位置の数が複数である場合、タッチパネルに接触した操作者の手の部位として接触面積の広い手のひら等の部位が特定され、タッチパネルが検出した接触位置の数が１つである場合、接触面積の狭い指等の部位が特定される。【００１０】
本発明に係る操作受付装置は、接触位置を検出するタッチパネルを備え、該タッチパネルが検出した接触位置に基づいて、複数の操作を受付ける操作受付装置において、前記タッチパネルの背面に配してあり、前記タッチパネルを透過する光の光強度を検出する光強度検出手段と、該光強度検出手段が検出した光強度に基づいて、操作者の手をなす複数の部位のうち前記タッチパネルに接触した部位を特定する部位特定手段と、該部位特定手段が特定した部位に基づいて、前記複数の操作のうち少なくとも１つの操作を特定する操作特定手段と、前記タッチパネルが検出した接触位置に基づいて、前記操作特定手段が特定した操作を受付ける操作受付手段とを備えることを特徴とする。【００１１】
本発明にあっては、タッチパネルの透過光の光強度が小さい場合、操作者の手がパネル面に対し広い接触面積を有して接触しており、タッチパネル表面に入射する環境光を遮る面積が広い手のひら等の部位が特定される。タッチパネルの透過光の光強度が大きい場合、パネル面に対し小さな接触面積を有して接触し、環境光を遮る面積が狭い指先等の部位が特定される。【００１２】
本発明に係る操作受付装置は、前記タッチパネルはドーム状をなすことを特徴とする。【００１３】
本発明にあっては、ドーム形状のタッチパネルを包み込むように接触した操作者の手のひらによる操作が受付けられる。【００１４】
本発明に係る操作受付装置は、前記複数の部位は、手のひら及び指先であり、前記部位特定手段は、手のひら又は指先を識別するよう構成してあることを特徴とする。【００１５】
本発明にあっては、手のひらによる操作及び指先による操作夫々が受付けられる。【００１６】
本発明に係る操作受付装置は、前記タッチパネルはドーム状をなし、前記操作受付手段は、前記部位特定手段が手のひらを識別した場合、前記タッチパネルのドーム経線に略平行な摺動操作又は前記タッチパネルのドーム頂点を略中心として回転する摺動操作を受付けるよう構成してあることを特徴とする。【００１７】
本発明にあっては、操作者の手のひらがタッチパネルのドーム経線に略平行な線を描くようなぞる操作と、タッチパネルのドーム頂点を中心として右回り又は左回りに操作者の手首及び腕等を軸として回転する操作とが受付けられる。【００１８】
本発明に係る操作受付装置は、前記タッチパネルの背面に配してあり、操作画面を表示する表示部を備え、前記操作受付手段は、前記部位特定手段が指先を識別した場合、前記操作画面に応じた操作を受付けるよう構成してあることを特徴とする。【００１９】
本発明にあっては、タッチパネルの背面に表示された操作画面に応じた操作が操作者の指先により受付けられる。【００２０】
本発明に係る操作受付装置は、前記部位特定手段が特定した部位に基づいて、被操作機器が有する複数の機能のうち少なくとも１つの機能を特定する機能特定手段を備え、前記操作受付手段は、前記機能特定手段が特定した機能に対応する操作を受付けるよう構成してあることを特徴とする。【００２１】
本発明にあっては、被操作機器が有する複数の機能のうち、操作を受付ける機能が操作者の手の部位に応じて特定される。【００２２】
本発明に係るコンピュータプログラムは、タッチパネルが検出した接触位置に基づいて、複数の操作を受付ける操作受付装置が備えるコンピュータに、前記複数の操作のうち少なくとも１つの操作を特定させるコンピュータプログラムにおいて、コンピュータに、前記タッチパネルが検出した接触位置に基づいて、操作者の手をなす複数の部位のうち前記タッチパネルに接触した部位を特定する部位特定ステップと、該部位特定ステップが特定した部位に基づいて、前記複数の操作のうち少なくとも１つの操作を特定する操作特定ステップとを実行させる。【００２３】
本発明にあっては、タッチパネルに接触した操作者の手の部位が特定され、特定された部位に対応付けられた操作が受付けられる。【００２４】
本発明に係るコンピュータプログラムは、タッチパネルが検出した１つ又は複数の接触位置に基づいて、複数の操作を受付ける操作受付装置が備えるコンピュータに、前記複数の操作のうち少なくとも１つの操作を特定させるコンピュータプログラムにおいて、コンピュータに、前記タッチパネルが検出した接触位置の個数に基づいて、操作者の手をなす複数の部位のうち前記タッチパネルに接触した部位を特定する部位特定ステップと、該部位特定ステップが特定した部位に基づいて、前記複数の操作のうち少なくとも１つの操作を特定する操作特定ステップとを実行させる。【００２５】
本発明にあっては、タッチパネルが検出した接触位置の数が複数である場合、タッチパネルに接触した操作者の手の部位として接触面積の広い手のひら等の部位が特定され、タッチパネルが検出した接触位置の数が１つである場合、接触面積の狭い指等の部位が特定される。特定された部位に対応付けられた操作が受付けられる。【００２６】
本発明に係るコンピュータプログラムは、タッチパネルの背面に配してある光強度検出部が検出した光強度に基づいて、複数の操作を受付ける操作受付装置が備えるコンピュータに、前記複数の操作のうち少なくとも１つの操作を特定させるコンピュータプログラムであって、コンピュータに、前記光強度検出部が検出した光強度に基づいて、操作者の手をなす複数の部位のうち前記タッチパネルに接触した部位を特定する部位特定ステップと、該部位特定ステップが特定した部位に基づいて、前記複数の操作のうち少なくとも１つの操作を特定する操作特定ステップとを実行させる。【００２７】
本発明にあっては、タッチパネルの透過光の光強度が小さい場合、操作者の手がパネル面に対し広い接触面積を有して接触しており、タッチパネル表面に入射する環境光を遮る面積が広い手のひら等の部位が特定される。タッチパネルの透過光の光強度が大きい場合、パネル面に対し小さな接触面積を有して接触し、環境光を遮る面積が狭い指先等の部位が特定される。特定された部位に対応付けられた操作が受付けられる。
【発明の効果】
【００２８】
本発明にあっては、操作者の手をなす複数の部位のうちタッチパネルに接触した部位を特定する部位特定手段と、特定した部位に基づいて受付ける操作を特定する操作特定手段とを備えることにより、操作者の手の複数の部位夫々に対応した複数の操作を受付可能にする。
【図面の簡単な説明】
【００２９】
【図１】実施の形態１に係る操作受付装置を含む映像表示システムの構成を示す模式図である。
【図２】実施の形態１に係る操作受付装置の内部構成例を示すブロック図である。
【図３】実施の形態１に係る操作受付装置の模式的平面図である。
【図４】実施の形態１に係る指先による直線摺動操作の検出方法を説明するための説明図である。
【図５】実施の形態１に係る指先による回転摺動操作の検出方法を説明するための説明図である。
【図６Ａ】実施の形態１に係る手のひらによる左右方向の直線摺動操作を示す模式図である。
【図６Ｂ】実施の形態１に係る手のひらによる左右方向の直線摺動操作を示す模式図である。
【図７】実施の形態１に係る手のひらによる左右方向の直線摺動操作の検出方法を説明するための説明図である。
【図８Ａ】実施の形態１に係る手のひらによる回転摺動操作を示す模式図である。
【図８Ｂ】実施の形態１に係る手のひらによる回転摺動操作を示す模式図である。
【図９Ａ】実施の形態１に係る手のひらによる回転摺動操作の検出方法を説明するための説明図である。
【図９Ｂ】実施の形態１に係る手のひらによる回転摺動操作の検出方法を説明するための説明図である。
【図１０Ａ】実施の形態１に係る操作画面の例を示す模式図である。
【図１０Ｂ】実施の形態１に係る操作画面の例を示す模式図である。
【図１１】実施の形態１に係る操作画面の他の例を示す模式図である。
【図１２Ａ】実施の形態１に係る操作画面の他の例を示す模式図である。
【図１２Ｂ】実施の形態１に係る操作画面の他の例を示す模式図である。
【図１３Ａ】実施の形態１に係る操作画面の他の例を示す模式図である。
【図１３Ｂ】実施の形態１に係る操作画面の他の例を示す模式図である。
【図１４】実施の形態１に係るチャンネル切替画面の例を示す模式図である。
【図１５】実施の形態１に係る操作受付処理の手順を示すフローチャートである。
【図１６】実施の形態１に係る手のひらによる摺動操作受付処理の手順を示すフローチャートである。
【図１７】実施の形態２に係る操作受付装置の内部構成を示すブロック図である。
【図１８】実施の形態２に係るタッチパネル部の構成を示す模式図である。
【図１９】実施の形態２に係る手のひらによる回転摺動操作の検出方法を説明するための説明図である。
【図２０】実施の形態２に係る操作受付処理の手順を示すフローチャートである。
【図２１】実施の形態２に係る手のひらによる摺動操作受付処理の手順を示すフローチャートである。
【図２２】実施の形態３に係る操作受付装置の内部構成を示すブロック図である。
【図２３Ａ】実施の形態３に係る手のひらによる回転摺動操作の検出方法を説明するための説明図である。
【図２３Ｂ】実施の形態３に係る手のひらによる回転摺動操作の検出方法を説明するための説明図である。
【図２４】実施の形態３に係る手のひらによる回転摺動操作の検出方法を説明するための説明図である。
【図２５】実施の形態３に係る操作受付処理の手順を示すフローチャートである。
【図２６】実施の形態３に係る手のひらによる摺動操作受付処理の手順を示すフローチャートである。
【図２７】実施の形態４に係る操作受付装置の内部構成を示すブロック図である。
【符号の説明】
【００３０】
１，６，７，８  操作受付装置
２  受像機
３  アンテナ
４  配信サーバ装置
５  録画再生装置
Ｎ  ネットワーク網
Ｏ  原点
１０  ＣＰＵ
１０ａ  バス
１１，６１，７１  タッチパネル部
１２  表示部
１３  操作ボタン部
１４，１４Ａ，１４Ｂ，１４Ｃ，１４Ｄ，６２  光強度検出部
１５  表示処理部
１６  座標変換部
１７  ＲＡＭ
１８  ＲＯＭ
１９  通信部
１１ａ，１１ｂ，１１ｃ，１１ｄ，１１ｅ，６１１ａ，６１２ａ，７１１ａ，７１１ｂ，７１２ａ，７１２ｂ，７１３ａ，７１３ｂ，７１４ａ，７１４ｂ，７１５ａ，７１５ｂ
検出座標
６１１  上部タッチパネル
６１２  下部タッチパネル
Ｖ１，Ｖ２，Ｖ３，Ｖ４，Ｖ５  移動ベクトル
８１  記録媒体読込部
８２  ＥＥＰＲＯＭ
８１０  記録媒体
８１１  コンピュータプログラム
【発明を実施するための最良の形態】
【００３１】
実施の形態１
以下、本発明をその実施の形態を示す図面を参照して具体的に説明する。図１は、実施の形態１に係る操作受付装置を含む映像表示システムの構成を示す模式図である。操作受付装置は、被操作機器である受像機、ゲーム機器及びＰＣ（ Personal Computer ）等が有する機能に対応した操作を受付けるようにしてあり、被操作機器の内部に備えられたものであってもよい。本実施の形態１は、操作受付装置の被操作機器として受像機を例に挙げて説明する。図中１は、操作受付装置であり、受像機２が有する各機能に対応する操作を受付けるようにしてある。【００３２】
操作受付装置１は、操作画面を表示する液晶パネル等からなる表示部１２と、該表示部１２に覆設してあり、操作者の手の接触位置を検出するドーム状のタッチパネル部１１と、操作者の指による押下を検出する操作ボタン部１３とを備えている。タッチパネル部１１は、単一の接触位置を検出する表面型静電容量方式のタッチパネルからなる。ドーム形状を有する表面型静電容量方式のタッチパネルは、接触面積の小さい指先が接触した場合、指先の接触部分の略中央位置が接触位置として検出され、接触面積の大きな手のひらが接触した場合、手のひらの重心位置が接触位置として検出されることが経験的に知られている。【００３３】
受像機２は、地上デジタル放送及びＢＳ（ Broadcasting Satellite ）放送等の放送波を受信するアンテナ３と、ネットワーク網Ｎを介して要求された映像コンテンツを配信するＶＯＤ（ Video On Demand）方式のサービスを提供する配信サーバ装置４と、表示部２１に表示する映像の録画及び録画した映像の再生を行う録画再生装置５とが接続してある。また、受像機２は、アンテナ３が受信した放送波に基づく放送映像、配信サーバ装置４から配信された配信映像及び録画再生装置５が再生する再生映像のうち、選択された映像を映像に付随した音声の出力と共に表示するための液晶パネル及びスピーカ等からなる表示部２１を備えている。【００３４】
また、受像機２は、受信した放送波から選択されたチャンネルを選局する選局機能と、放送波に基づく映像、配信された映像及び録画再生装置５の再生映像のうち表示部２１に表示する映像を選択する映像選択機能と、録画再生装置５の再生機能を制御する再生制御機能とを有している。また、受像機２は、映像と共に出力する音声の音量を設定する音量設定機能と、電子番組表を表示する電子番組表閲覧機能とを備えている。操作受付装置１は、タッチパネル部１１が検出した接触位置に基づいて、指先による直線摺動操作又は回転摺動操作、並びに手のひらによる直線摺動操作又は回転摺動操作等の複数の操作のうち、いずれかの操作を特定するようにしてある。また、操作受付装置１は、特定した操作者の部位に基づいて受像機２が有する複数の機能のうち少なくとも１つの機能を特定し、当該機能に対応した操作を受付けるようにしてある。【００３５】
図２は、実施の形態１に係る操作受付装置１の内部構成例を示すブロック図である。操作受付装置１は、タッチパネル部１１が検出した接触位置の座標を変換する座標変換部１６と、バス１０ａを介して操作受付装置１のハードウェア各部を制御するＣＰＵ（ Central Processing Unit ）１０と、ＣＰＵ１０が実行するコンピュータプログラムを記憶してあるＲＯＭ（Read-Only Memory ）１８と、コンピュータプログラムの実行中に生じる変数等を記憶するためのＲＡＭ（ Random-Access Memory ）１７とを備えている。座標変換部１６は、ドーム状の曲面を有するタッチパネル部１１が検出した接触位置の座標を平面座標に変換し、検出座標としてバス１０ａを介してＣＰＵ１０に出力するようにしてある。【００３６】
例えば、タッチパネル部１１のドーム頂点を底面に投影した座標を原点とし、底面上の平面座標は、操作者に対して左右方向に対応するＸ座標及び操作者に対して前後方向に対応するＹ座標を用いて示すと良い。これにより、タッチパネル部１１上でドーム経線に略平行な線を描く軌跡は、平面座標上で略直線を描く軌跡に変換される。また、操作受付装置１は、タッチパネル部１１の背面に配置してあり、タッチパネル部１１を透過する外部の環境光を受光して光強度を検出する光強度検出部（光強度検出手段）１４と、ＣＰＵ１０からバス１０ａを介して与えられる映像信号を表示部１２に表示可能な信号に処理して出力する表示処理部１５とを備える。表示部１２は、タッチパネル部１１の背面に配置されており、表示処理部１５から与えられた信号の映像を表示するようにしてある。【００３７】
ＣＰＵ１０は、光強度検出部１４が検出した光強度に基づいてタッチパネル部１１に接触した操作者の手の部位を特定する部位特定手段、特定した部位に基づいて複数の操作から受付ける操作を特定する操作特定手段、特定した操作を受付ける操作受付手段として機能する。また、ＣＰＵ１０は、機能を特定した部位に基づいて受像機２が有する複数の機能から、操作を受付ける機能を特定する機能特定手段としても機能する。【００３８】
さらに操作受付装置１は、受像機２との間で赤外線を利用したＩｒＤＡ（ Infrared Data Association ）規格に従う無線通信を行う通信部１９を備える。操作受付装置１は、タッチパネル部１１が検出した検出座標等に基づいて受付けた操作を示す操作信号を受像機２に送信すると共に、受像機２が有する機能のうち選択された機能を示す信号及び電子番組表等のデータ等を受像機２から受信するようにしてある。操作受付装置１と受像機２とを、赤外線を利用した無線通信だけでなく、例えば、ＩＥＥＥ８０２．１規格に準拠した無線ＬＡＮ及びＢｌｕｅｔｏｏｔｈ（登録商標）規格に準拠した無線通信等を介して接続してもよい。また、操作受付装置１及び受像機２間を信号テーブルで接続して有線通信するようにしてもよい。【００３９】
図３は、実施の形態１に係る操作受付装置１の模式的平面図である。操作受付装置１が備える光強度検出部１４は、ドーム状のタッチパネル部１１の底面の中心を囲むよう底面の内周縁に沿って配設してあり、光強度を検出する４つの光強度検出部１４Ａ，１４Ｂ，１４Ｃ，１４Ｄからなり、光強度検出部１４Ａ，１４Ｂ，１４Ｃ，１４Ｄ夫々が検出した光強度をＣＰＵ１０に与えるようにしてある。表示部１２は、光強度検出部１４Ａ，１４Ｂ，１４Ｃ，１４Ｄよりもタッチパネル部１１の底面の中心側に配してある。光強度検出部１４Ａ，１４Ｂ，１４Ｃ，１４Ｄが検出する光強度の合計値（以下、光強度Ｓ０と呼ぶ）は、タッチパネル部１１に接触している操作者の手の接触面積が大きい場合、外部からタッチパネル部１１に入射する環境光の多くが遮られるため、大きく減少する。【００４０】
操作受付装置１は、光強度Ｓ０が所定値よりも小さい場合、操作者の指先よりも接触面積が大きい手のひらがタッチパネル部１１に接触していると判定し、操作者の手の接触部位を手のひらに特定する。また、操作受付装置１は、光強度Ｓ０が所定値よりも大きい場合、操作者の手のひらよりも接触面積が小さい指先がタッチパネル部１１に接触していると判定し、操作者の手の接触部位を指先に特定する。光強度Ｓ０に対して設定される所定値は、タッチパネル部１１の表面積、通常の使用状態でタッチパネル部１１に入射する環境光の光強度及び平均的な操作者の手のひらの大きさ等に基づいて経験的及び実験的に決定し、予めＲＯＭ１８に記憶しておくとよい。次に、操作受付装置１が操作者の指先による摺動操作を特定して受付ける手順を説明する。【００４１】
図４は、実施の形態１に係る指先による直線摺動操作の検出方法を説明するための説明図である。図中白抜矢印は、タッチパネル部１１に接触した操作者の人差し指の移動方向を示す。操作受付装置１は、検出座標のＸ座標が増大又は減少し、Ｙ座標の変位が所定変位以下である場合、右方向及び左方向の直線摺動操作を特定して受付ける。図４に示す例では、タッチパネル部１１に接触した操作者の人差し指の略中央位置が検出座標１１ａとして取得されており、当該検出座標１１ａが右方向に摺動した場合、右方向の直線摺動操作が受付けられる。また、操作受付装置１は、検出座標のＹ座標が増大又は減少し、Ｘ座標の変位が所定変位以下である場合、操作者に対する前後方向、すなわちＸＹ座標の上下方向の直線摺動操作を受付ける。【００４２】
図５は、実施の形態１に係る指先による回転摺動操作の検出方法を説明するための説明図である。図中白抜矢印は、タッチパネル部１１に接触した操作者の人差し指の移動方向を示す。操作受付装置１は、タッチパネル部１１のドーム緯線に沿って操作者の指先が移動することにより、検出座標がＸＹ座標の原点Ｏを中心として右回り又は左回りに移動すると共に、半径方向の変位が所定量以下である場合、左右回りの回転摺動操作を特定して受付ける。図５に示す例では、タッチパネル部１１に接触した操作者の人差し指の略中央位置が検出座標１１ｂとして取得されており、当該検出座標１１ｂが左回りに摺動した場合、左回りの回転摺動操作が受付けられる。次に、操作受付装置１が操作者の手のひらによる摺動操作を特定して受付ける手順を説明する。【００４３】
図６Ａ、６Ｂ及び図７夫々は、実施の形態１に係る手のひらによる直線摺動操作を示す模式図及び手のひらによる直線摺動操作の検出方法を説明するための説明図である。操作受付装置１は、タッチパネル部１１に接触した操作者の手の部位を手のひらと特定した状態で、タッチパネル部１１のドーム経線に対して略平行に操作者の手のひらが移動し、検出座標のＸ座標が所定量以上を増大又は減少すると共に、Ｙ座標の変位が所定量以下である場合、手のひらによる左右方向の直線摺動操作を特定して受付ける。【００４４】
図６に示す例では、図６Ａに示す如く手のひらがドーム状のタッチパネル部１１を覆うように接触した状態から、ドーム経線に略平行であり白抜矢印で示す左方向に向かって図６Ｂに示す如くタッチパネル部１１の左側に向かって移動している。この場合、図７に示す如くタッチパネル部１１に接触した操作者の手のひらの重心位置が検出座標１１ｃとして取得されており、当該検出座標１１ｃが所定量以上を左方向に移動した場合、左方向の直線摺動操作が受付けられる。また、操作受付装置１は、検出座標のＹ座標が所定量以上を増大又は減少すると共に、Ｘ座標の変位が所定量以下である場合、手のひらによる上下方向の直線摺動操作を受付ける。【００４５】
図８Ａ、８Ｂは、実施の形態１に係る手のひらによる回転摺動操作を示す模式図である。操作受付装置１は、タッチパネル部１１に接触した操作者の手の部位を手のひらと特定した状態で、タッチパネル部１１の検出座標の移動距離が所定量未満である場合、光検出部１４Ａ及び１４Ｃにより検出された光強度の合計値（以下、光強度Ｓ１と呼ぶ）と、光検出部１４Ｂ及び１４Ｄにより検出された光強度の合計値（以下、光強度Ｓ２と呼ぶ）とを取得する。操作受付装置１は、光強度Ｓ１が光強度Ｓ２よりも小さい状態から、光強度Ｓ１が光強度Ｓ２よりも大きい状態へ変化した場合、右回りの回転摺動操作を特定して受付ける。【００４６】
また、操作受付装置１は、光強度Ｓ１が光強度Ｓ２よりも大きい状態から、光強度Ｓ１が光強度Ｓ２よりも小さい状態へ変化した場合、左回りの回転摺動操作を特定して受付ける。図８に示す例では、図８Ａに示す如く手のひらがドーム状のタッチパネル部１１を覆うように接触した状態から図８Ｂに示す如くドーム頂点を中心として白抜矢印で示す左回りに回転している。【００４７】
図９Ａ、９Ｂは、実施の形態１に係る手のひらによる回転摺動操作の検出方法を説明するための説明図である。図９Ａは、図８Ａに示す如く手のひらがタッチパネル部１１に接触している場合に対応している。この場合、光検出部１４Ａ，１４Ｃが検出する光強度の合計値である光強度Ｓ１は、光検出部１４Ｂ，１４Ｄが検出する光強度の合計値である光強度Ｓ２よりも大きい状態にある。図９Ｂは、図８Ｂに示す如くタッチパネル部１１上を手のひらが左回りに回転した場合に対応している。この場合、光検出部１４Ａ，１４Ｃが検出する光強度の合計値である光強度Ｓ１は、光検出部１４Ｂ，１４Ｄが検出する光強度の合計値である光強度Ｓ２よりも小さい状態にある。図９に示す例では、検出座標１１ｄ及び検出座標１１ｅ間の移動距離が所定量以下である場合、手のひらによる左回りの回転摺動操作が受付けられる。次に操作受付装置１が受付けた指先による直線摺動操作と、指先に対応して特定される受像機２の機能との対応関係の例を示す。【００４８】
図１０Ａ、１０Ｂは、実施の形態１に係る操作画面の例を示す模式図である。操作受付装置１は、受像機２が映像を表示している状態で、指先による左方向又は右方向の直線摺動操作を受付けた場合、表示部１２に音量を設定するための操作画面を表示する。操作受付装置１は、指先による右方向の直線摺動操作に応じて、受像機２の音量設定機能に対応して設定音量を増加させる操作を受付ける。また、操作受付装置１は、指先による左方向の直線摺動操作に応じて、受像機２の音量設定機能に対応して設定音量を減少させる操作を受付ける。図１０Ａに示す如く受像機１の設定音量に対応する数の短冊状のバーが間隙を有して配列してあり、右方向の直線摺動操作を受付けた場合、図１０Ｂに示す如く検出座標の右方向への移動に応じて表示されるバーが追加されて設定音量が増加したことが示される。すなわち、表示部１２に表示された操作画面に応じた操作が指先による直線摺動操作により受付けられる。【００４９】
図１１は、実施の形態１に係る操作画面の他の例を示す模式図である。操作受付装置１は、受像機２が電子番組表閲覧機能を実行している場合、受像機２から受信した電子番組情報に基づいて受像機２の電子番組表閲覧機能に対応しており、操作者が電子番組表を閲覧するための操作画面を表示する。操作受付装置１は、下方向の直線摺動操作に応じて、表示部１２に表示している操作画面の表示内容である電子番組表を下方向にスクロールする。また、操作受付装置１は、上方向の直線摺動操作に応じて、操作画面の表示内容である電子番組表を上方向にスクロールする。【００５０】
図１１に示す例では、番組名「ＢＳワイドショー」及び番組開始時刻「１９：００」等が番組内容と共に操作画面に表示されている。これにより、表示部１２に表示された操作画面の操作内容に対するスクロール表示が指先による直線摺動操作により受付けられる。次に操作受付装置１が受付けた指先による回転摺動操作と、指先に対応して特定される受像機２の機能との対応関係の例を示す。【００５１】
操作受付装置１は、受像機２が録画再生装置５の再生を制御する再生制御機能を実行している場合、表示部１２に受像機２の再生制御機能に対応する操作画面を表示する。操作受付装置１は、指先による左回りの回転摺動操作に応じて、受像機２に巻き戻し再生を指示する操作を受付けると共に、当該操作を受付けたことを示す操作画面を表示部１２に表示する。また、操作受付装置１は、巻き戻し再生を指示する操作を受付けた状態で、タッチパネル部１１が指先によるクリック操作を受付けた場合、受像機２に通常再生を指示する操作を受付けると共に、当該操作を受付けたことを示す操作画面を表示部１２に表示する。【００５２】
図１２Ａ、１２Ｂは、実施の形態１に係る操作画面の他の例を示す模式図である。図１２Ａに示す例では、巻き戻し再生を指示する操作を受付けたことを示す２つの三角形が１つの頂点を左向きに隣接して操作画面に表示されている。図１２Ｂに示す例では、通常再生を受付けたことを示す１つの三角形が１つの頂点を右向きに操作画面に表示されている。【００５３】
操作受付装置１は、通常再生を受付けた状態で、指先による右回りの回転摺動操作を受付けた場合、受像機２に早送り再生を指示する操作を受付けると共に、当該操作を受付けたことを示す操作画面を表示部１２に表示する。また、操作受付装置１は、早送り再生を指示する操作を受付けた状態で、タッチパネル部１１が指先によるクリック操作を受付けた場合、受像機２に通常再生を指示する操作を受付けると共に、当該操作を受付けたことを示す操作画面を表示部１２に表示する。【００５４】
図１３Ａ、１３Ｂは、実施の形態１に係る操作画面の他の例を示す模式図である。図１３Ａに示す例では、早送り操作を受付けたことを示す２つの三角形が１つの頂点を右向きに隣接して操作画面に表示されている。図１３Ｂに示す例では、一時停止を受付けたことを示す２つの短冊が操作画面に表示されている。次に操作受付装置１が受付けた手のひらによる直線摺動操作と、手のひらに対応して特定される受像機２が有する機能との対応関係の例を説明する。【００５５】
操作受付装置１は、受像機２が放送波を受信して映像を表示している状態で、手のひらによる左方向又は右方向の直線摺動操作を受付けた場合、受像機２の選局機能に対応するチャンネル切替操作を受付ける。操作受付装置１は、右方向の直線摺動操作に応じて、受像機２が選局するチャンネルをチャンネル番号の昇順に切替えるチャンネル送り操作を受付ける。また、操作受付装置１は、左方向の直線摺動操作に応じて、受像機２が選局するチャンネルをチャンネル番号の降順に切替えるチャンネル戻し操作を受付ける。受像機２は、表示部２１にチャンネル切替画面を表示し、操作受付装置１が受付けたチャンネル送り操作又はチャンネル戻し操作に従って、選局するチャンネルを切替えるようにしてある。【００５６】
図１４は、実施の形態１に係るチャンネル切替画面の例を示す模式図である。図１４に示す例では、複数のチャンネルで放送される映像夫々に対するサムネイル映像がチャンネル切替画面に表示、すなわちザッピング表示されている。また、受像機２が選局しているチャンネルの映像に対するサムネイル映像がチャンネル番号「２ＣＨ」及び番組名「世界一決定戦」と共にチャンネル切替画面の略中央に表示されている。これにより、受像機２の表示部２１に表示されたチャンネル切替画面に応じたチャンネル送り操作又はチャンネル戻し操作が手のひらによる左右方向の直線摺動操作により受付けられる。【００５７】
また、操作受付装置１は、手のひらによる上下方向の直線摺動操作を受付けた場合、放送される番組のジャンルを電子番組表に基づいて切替えることにより、切り替えたジャンルの番組が放送されるチャンネルに切替えて選局するジャンル切替操作を受付ける。受像機２は、操作受付装置１が検出座標を取得しなくなった場合、選択されているチャンネルの映像を全画面表示する映像画面に切替える。次に操作受付装置１が受付けた手のひらによる回転摺動操作と、手のひらに応じて特定される受像機２が有する機能との対応関係の例を説明する。【００５８】
受像機２は、放送映像、配信映像及び再生映像のうち、表示部２１に表示する映像を切替える操作を受付けるようにしてあり、各映像を切替える切替順番が予め設定してある。操作受付装置１は、手のひらによる右回りの回転摺動操作を受付けた場合、受像機２が表示する映像を予め設定してある切替順番に従って切替えさせる映像送り操作を受付ける。また、操作受付装置１は、左回りの回転摺動操作を受付けた場合、受像機２が表示する映像を予め設定してある切替順番の逆順に従って切替えさせる映像戻り操作を受付ける。【００５９】
図１５は、実施の形態１に係る操作受付処理の手順を示すフローチャートである。操作受付処理は、タッチパネル部１１に操作者の手が接触し検出座標が取得された場合、ＣＰＵ１０により実行される。ＣＰＵ１０は、光強度Ｓ０を取得する（ステップＳ１１）。ＣＰＵ１０は、取得した光強度Ｓ０が所定値以上であるか否かを判定する（ステップＳ１２）。ＣＰＵ１０は、取得した光強度Ｓ０が所定値以上でないと判定した場合（ステップＳ１２でＮＯ）、手のひらを特定する（ステップＳ１３）。ＣＰＵ１０は、光強度Ｓ１，Ｓ２を取得し（ステップＳ１４）、取得した光強度Ｓ１，Ｓ２を記憶する（ステップＳ１５）。ＣＰＵ１０は、後述の手のひらによる摺動操作受付処理を実行する（ステップＳ１６）。【００６０】
ＣＰＵ１０は、タッチパネル部１１から継続して検出座標を取得しているか否かを判定する（ステップＳ１７）。ＣＰＵ１０は、検出座標を取得していると判定した場合（ステップＳ１７でＹＥＳ）、手のひらによる摺動操作受付処理を実行するステップＳ１６に処理を戻す。ＣＰＵ１０は、検出座標を取得していないと判定した場合（ステップＳ１７でＮＯ）、操作受付処理を終了する。ＣＰＵ１０は、取得した光強度Ｓ０が所定値以上であるか否かを判定するステップＳ１２において、所定値以上であると判定した場合（ステップＳ１２でＹＥＳ）、指先を特定する（ステップＳ１８）。【００６１】
ＣＰＵ１０は、表示部１２に操作画面を表示し（ステップＳ１９）、指先による摺動操作受付処理を特定する（ステップＳ２０）。ＣＰＵ１０は、特定した操作を受付ける（ステップＳ２１）。ＣＰＵ１０は、タッチパネル部１１から継続して検出座標を取得しているか否かを判定する（ステップＳ２２）。ＣＰＵ１０は、検出座標を取得していると判定した場合（ステップＳ２２でＹＥＳ）、指先による摺動操作を特定するステップＳ２０に処理を戻す。ＣＰＵ１０は、検出座標を取得していないと判定した場合（ステップＳ２２でＮＯ）、手のひらによる摺動操作受付処理を終了する。【００６２】
図１６は、実施の形態１に係る手のひらによる摺動操作受付処理の手順を示すフローチャートである。ＣＰＵ１０は、検出座標が所定量以上を移動したか否かを判定する（ステップＳ３１）。ＣＰＵ１０は、検出座標が所定量以上を移動したと判定した場合（ステップＳ３１でＹＥＳ）、直線摺動操作を特定し（ステップＳ３２）、特定した操作を受付けて（ステップＳ４０）、手のひらによる摺動操作受付処理を終了する。ＣＰＵ１０は、検出座標が所定量以上を移動していないと判定した場合（ステップＳ３１でＮＯ）、記憶してある光強度Ｓ１が記憶してある光強度Ｓ２よりも小さいか否かを判定する（ステップＳ３３）。ＣＰＵ１０は、記憶してある光強度Ｓ１が記憶してある光強度Ｓ２よりも小さいと判定した場合（ステップＳ３３でＹＥＳ）、光検出部１４が検出している光強度Ｓ１，Ｓ２を取得する（ステップＳ３４）。【００６３】
ＣＰＵ１０は、取得した光強度Ｓ１が取得した光強度Ｓ２よりも大きいか否かを判定する（ステップＳ３５）。ＣＰＵ１０は、取得した光強度Ｓ１が取得した光強度Ｓ２よりも大きいと判定した場合（ステップＳ３５でＹＥＳ）、右回りの回転摺動操作を特定して（ステップＳ３６）、特定した操作を受付けるステップＳ４０に処理を移す。ＣＰＵ１０は、取得した光強度Ｓ１が取得した光強度Ｓ２よりも大きくないと判定した場合（ステップＳ３５でＮＯ）、操作受付処理を終了する。ＣＰＵ１０は、記憶してある光強度Ｓ１が記憶してある光強度Ｓ２よりも小さいか否かを判定するステップＳ３３において、記憶してある光強度Ｓ１が記憶してある光強度Ｓ２よりも小さくないと判定した場合（ステップＳ３３でＮＯ）、光検出部１４が検出している光強度Ｓ１，Ｓ２を取得する（ステップＳ３７）。【００６４】
ＣＰＵ１０は、取得した光強度Ｓ１が取得した光強度Ｓ２よりも小さいか否かを判定する（ステップＳ３８）。ＣＰＵ１０は、取得した光強度Ｓ１が取得した光強度Ｓ２よりも小さいと判定した場合（ステップＳ３８でＹＥＳ）、左回りの回転摺動操作を特定して（ステップＳ３９）、特定した操作を受付けるステップＳ４０に処理を移す。ＣＰＵ１０は、取得した光強度Ｓ１が取得した光強度Ｓ２よりも小さくないと判定した場合（ステップＳ３８でＮＯ）、手のひらによる摺動操作受付処理を終了する。【００６５】
本実施の形態１では、ＲＯＭ１８に予め記憶してある光強度Ｓ０に対する所定値を用いて操作者の手のひら又は指先を特定する場合を示したが、これに限るものではなく例えば、操作受付装置１のタッチパネル部１１に操作者の手が触れておらず、検出座標が取得されない期間に光強度Ｓ０を取得し、取得した光強度Ｓ０に基づいてＲＯＭ１８に記憶してある所定値を補正して用いてもよい。例えば、操作受付装置１が暗い部屋に置かれている場合、操作者の手が触れていない状態で取得した光強度Ｓ０に基づいてＲＯＭ１８に記憶してある所定値を減少するよう補正するとよい。【００６６】
また、光強度Ｓ０に対する所定値をＲＯＭ１８に記憶しておく場合に限るものではなく、所定比率を記憶しておいてもよい。例えば、所定比率として３０％をＲＯＭ１８に記憶しておくと共に、検出座標が取得されない状態の光強度Ｓ０をＲＡＭ１７に記憶し、検出座標が取得された状態でＲＡＭ１７に記憶してある光強度Ｓ０の３０％未満に相当する光強度Ｓ０が取得された場合、手のひらを特定するようにすればよい。【００６７】
受像機２は、操作受付装置１が検出座標を取得しなくなった場合、チャンネル切替画面から映像画面へ切替える例を示したが、これに限るものではなく、光強度Ｓ０に対して予め設定された複数の閾値に基づいて段階的にチャンネル切替画面において選択されているチャンネルの映像を拡大して、映像画面へ切替えてもよい。これにより、手のひらがタッチパネル部１１から離れるに従って選択されているチャンネルの映像が拡大されて、全画面表示される。操作受付装置１は、操作ボタン部１３が受付ける押下操作と、手のひら又は指先による直線摺動操作又は回転摺動操作とを組み合わせた操作を受付けるようにしてもよい。【００６８】
実施の形態２
図１７及び図１８夫々は、実施の形態２に係る操作受付装置の内部構成を示すブロック図及びタッチパネル部の構成を示す模式図である。本実施の形態２は、実施の形態１が光強度に基づいて手のひらによる回転摺動操作を受付けるのに対して、２枚のタッチパネル夫々が検出した検出座標に基づいて受付けるようにしてある。図１７中６は、２枚のタッチパネルからなるタッチパネル部６１と、光強度を検出する光強度検出部６２とを備えた操作受付装置を示す。光強度検出部６２は、光強度検出部１４Ａ，１４Ｂ，１４Ｃ，１４Ｄ夫々が検出した光強度の合計値である光強度Ｓ０を取得するようにしてある。図１８に示す如くタッチパネル部６１は、ドーム状の上部タッチパネル６１１と、上部タッチパネル６１１の周縁に沿って接合してある略円筒状の下部タッチパネル６１２とからなり、上部タッチパネル６１１及び下部タッチパネル６１２夫々が検出した座標を検出座標として取得するようにしてある。【００６９】
図１９は、実施の形態２に係る手のひらによる回転摺動操作の検出方法を説明するための説明図である。図中白抜矢印は、ドーム状のタッチパネル部６１を覆うように接触した操作者の手が回転する方向を示す。図中６１１ａ及び６１２ａは、手のひらの重心位置に対応して上部タッチパネル６１１が検出した検出座標及び指先の略中心位置に対応して下部タッチパネル６１２が検出した検出座標を示す。静電容量型のタッチパネルである下部タッチパネル６１２は、操作者の複数の指先が下部タッチパネル６１２に接触している場合、いずれかの指先の略中心位置が検出座標として検出される。操作受付装置１は、検出座標６１１ａの移動距離が所定量以下である場合、検出座標６１２ａの左回り又は右回りの移動に応じて、手のひらによる左回り又は右回りの回転摺動操作を受付ける。【００７０】
図２０は、実施の形態２に係る操作受付処理の手順を示すフローチャートである。ＣＰＵ１０は、光強度Ｓ０を取得する（ステップＳ５１）。ＣＰＵ１０は、取得した光強度Ｓ０が所定値以上であるか否かを判定する（ステップＳ５２）。ＣＰＵ１０は、取得した光強度Ｓ０が所定値以上でないと判定した場合（ステップＳ５２でＮＯ）、手のひらを特定する（ステップＳ５３）。ＣＰＵ１０は、後述の手のひらによる摺動操作受付処理を実行する（ステップＳ５４）。ＣＰＵ１０は、タッチパネル部６１から継続して検出座標を取得しているか否かを判定する（ステップＳ５５）。ＣＰＵ１０は、検出座標を取得していると判定した場合（ステップＳ５５でＹＥＳ）、手のひらによる摺動操作受付処理を実行するステップＳ５４に処理を戻す。【００７１】
ＣＰＵ１０は、検出座標を取得していないと判定した場合（ステップＳ５５でＮＯ）、操作受付処理を終了する。ＣＰＵ１０は、取得した光強度Ｓ０が所定値以上であるか否かを判定するステップＳ５２において、所定値以上であると判定した場合（ステップＳ５２でＹＥＳ）、指先を特定する（ステップＳ５６）。ＣＰＵ１０は、表示部１２に操作画面を表示し（ステップＳ５７）、指先による摺動操作を特定して（ステップＳ５８）、特定した操作を受付ける（ステップＳ５９）。ＣＰＵ１０は、タッチパネル部６１から継続して検出座標を取得しているか否かを判定する（ステップＳ６０）。ＣＰＵ１０は、検出座標を取得していると判定した場合（ステップＳ６０でＹＥＳ）、指先による摺動操作を特定するステップＳ５８に処理を戻す。ＣＰＵ１０は、検出座標を取得していないと判定した場合（ステップＳ６０でＮＯ）、操作受付処理を終了する。【００７２】
図２１は、実施の形態２に係る手のひらによる摺動操作受付処理の手順を示すフローチャートである。ＣＰＵ１０は、上部タッチパネル６１１が検出した上部検出座標が所定量以上を移動したか否かを判定する（ステップＳ７１）。ＣＰＵ１０は、上部検出座標が所定量以上を移動したと判定した場合（ステップＳ７１でＹＥＳ）、直線摺動操作を特定し（ステップＳ７２）、特定した操作を受付けて（ステップＳ７７）、手のひらによる摺動操作受付処理を終了する。ＣＰＵ１０は、上部検出座標が所定量以上を移動していないと判定した場合（ステップＳ７１でＮＯ）、下部タッチパネル６１２が検出した下部検出座標が右回りに移動した否かを判定する（ステップＳ７３）。【００７３】
ＣＰＵ１０は、下部検出座標が右回りに移動したと判定した場合（ステップＳ７３でＹＥＳ）、右回りの回転摺動操作を特定して（ステップＳ７４）、特定した操作を受付けるステップＳ７７に処理を移す。ＣＰＵ１０は、下部検出座標が右回りに移動していないと判定した場合（ステップＳ７３でＮＯ）、下部検出座標が左回りに移動したか否かを判定する（ステップＳ７５）。ＣＰＵ１０は、下部検出座標が左回りに移動したと判定した場合（ステップＳ７５でＹＥＳ）、左回りの回転摺動操作を特定して（ステップＳ７６）、特定した操作を受付けるステップＳ７７に処理を移す。ＣＰＵ１０は、下部検出座標が左回りに移動していないと判定した場合（ステップＳ７５でＮＯ）、手のひらによる摺動操作受付処理を終了する。【００７４】
光強度検出部６２は、光検出部１４Ａ，１４Ｂ，１４Ｃ，１４Ｄからなる場合を示したが、これに限るものではなく手のひら及び指先による光強度の変化を検出可能に配した１つの光強度検出部からなるものでもよい。また、操作受付処理の手順として光強度検出部によって取得した光強度Ｓ０の値が所定値以上かどうかで手のひらか指先かを特定する方法について説明したが、これに限るものではなく上部タッチパネル６１１と下部タッチパネル６１２が同時に座標を検出した場合は手のひら、上部タッチパネルまたは下部タッチパネルのどちらかが座標を検出した場合は指先と特定してもよい。このときタッチパネル部の構成に光強度検出部６２は必要ない。【００７５】
本実施の形態２は以上の如き構成としてあり、その他の構成、作用及び処理は実施の形態１と同様であるので対応する部分には同一の符号及び処理名を付してその詳細な説明を省略する。【００７６】
実施の形態３
図２２は、実施の形態３に係る操作受付装置の内部構成を示すブロック図である。本実施の形態３は、実施の形態１及び２が単一の座標を検出可能にしてあるタッチパネル部を備えるのに対して複数の座標を同時に検出可能にしてあるタッチパネル部を備える。図中７は、複数の接触位置を検出可能な投影型静電容量方式のタッチパネル部７１を備える操作受付装置を示す。操作受付装置７は、１つの検出座標を取得した場合、接触している操作者の手の部位として指先を特定し、複数の検出座標を取得した場合、手のひらを特定するようにしてある。ＣＰＵ１０は、タッチパネル部７１が検出した検出座標の個数に基づいてタッチパネル部７１に接触した操作者の手の部位を特定する部位特定手段として機能する。【００７７】
図２３Ａ、２３Ｂ及び図２４は、実施の形態３に係る手のひらによる回転摺動操作の検出方法を説明するための説明図である。操作受付装置７は、操作者の手の部位を手のひらと特定した状態で、各検出座標が移動した場合、移動前の各検出座標から移動後の各検出座標へ向かう移動ベクトルを算出する。図２３に示す例では、図２３Ａに示す如く手のひらがドーム状のタッチパネル部１１を覆うように接触した状態で操作者の各指に対応する検出座標７１１ａ、７１２ａ、７１３ａ、７１４ａ、７１５ａが検出されており、手のひらが白抜矢印で示す右方向に回転するに伴い、各検出座標は、図２３Ｂに示す検出座標７１１ｂ、７１２ｂ、７１３ｂ、７１４ｂ、７１５ｂ夫々に移動している。【００７８】
この場合、操作受付装置７は、図２４に示す如く検出座標７１１ａから検出座標７１１ｂへ向かう移動ベクトルＶ１と、検出座標７１２ａから検出座標７１２ｂへ向かう移動ベクトルＶ２と、検出座標７１３ａから検出座標７１３ｂへ向かう移動ベクトルＶ３と、検出座標７１４ａから検出座標７１４ｂへ向かう移動ベクトルＶ４と、検出座標７１５ａから検出座標７１５ｂへ向かう移動ベクトルＶ５夫々を算出する。操作受付装置７は、算出した複数の移動ベクトル全てが、Ｘ軸に対する傾きが所定角度以下であり、Ｘ軸に対して略平行であるＸ方向ベクトルのみからなる場合、Ｘ方向への直線摺動操作、すなわち左右方向の直線摺動操作を受付ける。【００７９】
操作受付装置７は、算出した複数の移動ベクトル全てが、Ｙ軸に対する傾きが所定角度以下であり、Ｙ軸に対して略平行であるＹ方向ベクトルのみからなる場合、Ｙ方向への直線摺動操作、すなわち上下方向の直線摺動操作を受付ける。また、操作受付装置１は、算出した複数のベクトルがＸ方向ベクトルのみ又はＹ方向ベクトルのみでない場合、算出した複数のベクトルに基づいて回転摺動操作を受付ける。【００８０】
図２５は、実施の形態３に係る操作受付処理の手順を示すフローチャートである。ＣＰＵ１０は、検出座標が複数であるか否かを判定する（ステップＳ９１）。ＣＰＵ１０は、検出座標が複数であると判定した場合（ステップＳ９１でＹＥＳ）、手のひらを特定する（ステップＳ９２）。ＣＰＵ１０は、各検出座標を記憶し（ステップＳ９３）、後述の手のひらによる摺動操作受付処理を実行する（ステップＳ９４）。ＣＰＵ１０は、タッチパネル部７１から継続して検出座標を取得しているか否かを判定する（ステップＳ９５）。ＣＰＵ１０は、検出座標を取得していると判定した場合（ステップＳ９５でＹＥＳ）、手のひらによる摺動操作受付処理を実行するステップＳ９４に処理を戻す。【００８１】
ＣＰＵ１０は、検出座標を取得していないと判定した場合（ステップＳ９５でＮＯ）、操作受付処理を終了する。ＣＰＵ１０は、検出座標が複数であるか否かを判定するステップＳ９１において、複数でないと判定した場合（ステップＳ９１でＮＯ）、指先を特定する（ステップＳ９６）。ＣＰＵ１０は、表示部１２に操作画面を表示し（ステップＳ９７）、指先による摺動操作受付処理を特定して（ステップＳ９８）、特定した操作を受付ける（ステップＳ９９）。ＣＰＵ１０は、タッチパネル部７１から継続して検出座標を取得しているか否かを判定する（ステップＳ１００）。ＣＰＵ１０は、検出座標を取得していると判定した場合（ステップＳ１００でＹＥＳ）、指先による摺動操作を特定するステップＳ９８に処理を戻す。ＣＰＵ１０は、検出座標を取得していないと判定した場合（ステップＳ１００でＮＯ）、操作受付処理を終了する。【００８２】
図２６は、実施の形態３に係る手のひらによる摺動操作受付処理の手順を示すフローチャートである。ＣＰＵ１０は、検出座標を取得し（ステップＳ１１１）、記憶してある複数の検出座標から取得した検出座標への各移動ベクトルを算出する（ステップＳ１１２）。ＣＰＵ１０は、算出した移動ベクトルがＸ方向ベクトルのみからなるか否かを判定する（ステップＳ１１３）。ＣＰＵ１０は、算出した移動ベクトルがＸ方向ベクトルのみからなると判定した場合（ステップＳ１１３でＹＥＳ）、左右方向の直線摺動操作を特定し（ステップＳ１１４）、特定した操作を受付けて（ステップＳ１１８）、手のひらによる摺動操作受付処理を終了する。【００８３】
ＣＰＵ１０は、算出した移動ベクトルがＸ方向ベクトルのみからならないと判定した場合（ステップＳ１１３でＮＯ）、算出した移動ベクトルがＹ方向ベクトルのみからなるか否かを判定する（ステップＳ１１５）。ＣＰＵ１０は、算出した移動ベクトルがＹ方向ベクトルのみからなると判定した場合（ステップＳ１１５でＹＥＳ）、上下方向の直線摺動操作を特定して（ステップＳ１１６）、特定した操作を受付けるステップＳ１１８に処理を移す。ＣＰＵ１０は、算出した移動ベクトルがＹ方向ベクトルのみからならないと判定した場合（ステップＳ１１５でＮＯ）、算出した移動ベクトルに基づいて右回り又は左回りの回転摺動操作を特定して（ステップＳ１１７）、特定した操作を受付けるステップＳ１１８に処理を移す。【００８４】
本実施の形態３は以上の如き構成としてあり、その他の構成及び作用は実施の形態１と同様であるので対応する部分には同一の符号及び処理名を付してその詳細な説明を省略する。【００８５】
実施の形態４
図２７は、実施の形態４に係る操作受付装置の内部構成を示すブロック図である。本実施の形態４は、実施の形態１がＲＯＭに記憶してあるコンピュータプログラムを読み出して実行するのに対して、書き換え可能なＥＥＰＲＯＭ（ Electrically Erasable Programmable Read-Only Memory ）に記録してあるコンピュータプログラムを読み出して実行するようにしてある。図中８は、操作受付装置であり、ＣＰＵ１０にバス１０ａを介して接続されたフラッシュメモリ等からなるＥＥＰＲＯＭ８２及び記録媒体読込部８１を備える。【００８６】
操作受付装置８は、記録媒体読込部８１に挿入されたＣＤ（ Compact Disk ）−ＲＯＭ又はＤＶＤ（ Digital Versatile Disk ）−ＲＯＭ等の記録媒体８１０からコンピュータプログラム８１１を読み込んでＥＥＰＲＯＭ８２に記憶するようにしてある。ＣＰＵ１０は、ＥＥＰＲＯＭ８２から読み出された本発明のコンピュータプログラム８１１に従って、操作受付装置８に必要な処理を実行する構成となっている。コンピュータプログラム８１１は、光強度検出部１４が検出した光強度に基づいてタッチパネル部１１に接触した操作者の手の部位を特定する（部位特定ステップ）。【００８７】
コンピュータプログラム８１１は、特定した部位に基づいて操作受付装置８が受付ける操作を特定する(操作特定ステップ)。本発明に係るコンピュータプログラム８１１は、記録媒体８１０から読み出してＥＥＰＲＯＭ８２に記憶される場合に限るものではなく、工場出荷時にコンピュータプログラム８１１を記憶したＥＥＰＲＯＭ８２を操作受付装置８内部に装着してもよい。【００８８】
本実施の形態４は以上の如き構成としてあり、その他の構成、作用及び処理は実施の形態１、２及び３と同様であるので対応する部分には同一の符号及び処理名を付してその詳細な説明を省略する。
【図１】
2010067537.tif 000003
【図２】
2010067537.tif 000004
【図３】
2010067537.tif 000005
【図４】
2010067537.tif 000006
【図５】
2010067537.tif 000007
【図６Ａ】
2010067537.tif 000008
【図６Ｂ】
2010067537.tif 000009
【図７】
2010067537.tif 000010
【図８Ａ】
2010067537.tif 000011
【図８Ｂ】
2010067537.tif 000012
【図９Ａ】
2010067537.tif 000013
【図９Ｂ】
2010067537.tif 000014
【図１０Ａ】
2010067537.tif 000015
【図１０Ｂ】
2010067537.tif 000016
【図１１】
2010067537.tif 000017
【図１２Ａ】
2010067537.tif 000018
【図１２Ｂ】
2010067537.tif 000019
【図１３Ａ】
2010067537.tif 000020
【図１３Ｂ】
2010067537.tif 000021
【図１４】
2010067537.tif 000022
【図１５】
2010067537.tif 000023
【図１６】
2010067537.tif 000024
【図１７】
2010067537.tif 000025
【図１８】
2010067537.tif 000026
【図１９】
2010067537.tif 000027
【図２０】
2010067537.tif 000028
【図２１】
2010067537.tif 000029
【図２２】
2010067537.tif 000030
【図２３Ａ】
2010067537.tif 000031
【図２３Ｂ】
2010067537.tif 000032
【図２４】
2010067537.tif 000033
【図２５】
2010067537.tif 000034
【図２６】
2010067537.tif 000035
【図２７】
2010067537.tif 000036
【手続補正書】
【提出日】平成23年5月31日(2011.5.31)
【手続補正１】
【補正対象書類名】明細書
【補正対象項目名】全文
【補正方法】変更
【補正の内容】
【発明の詳細な説明】
【技術分野】
【０００１】
本発明は、操作者の手によって接触されて接触位置を検出する位置検出部、例えばタッチパネルに触れた操作者の手の部位を特定し、特定した部位に対応する操作を受付ける操作受付装置及びコンピュータプログラムに関する。
【背景技術】
【０００２】
近年、タッチパネルを用いた操作受付装置が、駅の券売機及び銀行のＡＴＭ（ Automated Teller Machine ）等の端末装置、映像機器を遠隔操作する遠隔操作装置及び携帯電話等の電子機器に広く採用されている。これらの操作受付装置は、タッチパネルが検出した物理的接触に基づいて複数の操作を受付けるようにしてある。例えば、特許文献１に記載の操作受付装置は、短冊状に分割された抵抗膜を有するタッチパネルを備えることにより、ペン先及び爪先等による小さい接触面積が検出された場合及び指の腹等による広い接触面積が検出された場合夫々に応じて異なる操作を受付可能にしてある。特許文献２に記載の操作受付装置は、タッチパネルが検出する押下圧力が所定の閾値未満及び閾値以上である場合夫々に応じてドラッグ操作及びクリック操作からなる異なる操作を受付可能にしてある。特許文献３に記載の操作受付装置は、タッチパネルに接触した２つの指先の間隔等を変えることにより、複数の異なる操作を受付可能にしてある。
【０００３】
これらの従来の操作受付装置が備えるタッチパネルは、平面状のパネル面を有している。そこで、タッチパネルのパネル面を曲面状に形成して指先、ペン先及び指の腹の他に手のひらによる操作を受付けることにより、複数の操作を受付可能にする操作受付装置が考えられる。特許文献４には、ドーム状、すり鉢状及びアーチ状等の曲面形状を有する静電容量方式のタッチパネルを備えることにより、操作者が手触りでタッチパネルに触れてパネル面を視認することなく操作可能にした操作受付装置が記載されている。
【先行技術文献】
【特許文献】
【０００４】
【特許文献１】特開２００４−２１３３１２号公報
【特許文献２】特開２００５−１９６８１０号公報
【特許文献３】特表２００８−５０８６０１号公報
【特許文献４】国際公開第２００７／０９９７３３号パンフレット
【発明の概要】
【発明が解決しようとする課題】
【０００５】
しかしながら、特許文献４に記載の操作受付装置は、タッチパネルに接触している操作者の手の部位に関わらず操作を受付けようにしてあり、操作者の手の部位に応じた複数の操作、例えば、手のひらによる操作及び指先による操作夫々を受付けることができないという問題があった。
【０００６】
本発明は斯かる事情に鑑みてなされたものであり、操作者の手をなす複数の部位のうちタッチパネルに接触した部位を特定する部位特定手段と、特定した部位に基づいて受付ける操作を特定する操作特定手段とを備えることにより、操作者の手の複数の部位夫々に対応した複数の操作を受付可能にする操作受付装置及びコンピュータプログラムを提供することを目的とする。
【課題を解決するための手段】
【０００７】
本発明に係る操作受付装置は、操作者の手によって接触され、接触位置を検出する位置検出部を備え、複数の操作を受付ける操作受付装置において、前記位置検出部が検出した接触位置に基づいて、前記手をなす複数の部位のうち前記位置検出部に接触した部位を特定する部位特定手段と、該部位特定手段が特定した部位に基づいて、前記複数の操作のうち少なくとも１つの操作を特定する操作特定手段と、前記位置検出部が検出した接触位置に基づいて、前記操作特定手段が特定した操作を受付ける操作受付手段とを備えることを特徴とする。
【０００８】
本発明にあっては、位置検出部に接触した操作者の手の部位に応じた操作が受付けられる。
【０００９】
本発明に係る操作受付装置は、前記位置検出部は、複数の接触位置を検出可能にしてあり、前記部位特定手段は、前記位置検出部が検出した接触位置の個数に基づいて前記部位を特定するよう構成してあることを特徴とする。
【００１０】
本発明にあっては、位置検出部が検出した接触位置の数が複数である場合、位置検出部に接触した操作者の手の部位として接触面積の広い手のひら等の部位が特定され、位置検出部が検出した接触位置の数が１つである場合、接触面積の狭い指等の部位が特定される。
【００１１】
本発明に係る操作受付装置は、操作者の手によって接触され、接触位置を検出する透光性の位置検出部を備え、複数の操作を受付ける操作受付装置において、前記位置検出部を透過する光の光強度を検出する光強度検出手段と、該光強度検出手段が検出した光強度に基づいて、前記手をなす複数の部位のうち前記位置検出部に接触した部位を特定する部位特定手段と、該部位特定手段が特定した部位に基づいて、前記複数の操作のうち少なくとも１つの操作を特定する操作特定手段と、前記位置検出部が検出した接触位置に基づいて、前記操作特定手段が特定した操作を受付ける操作受付手段とを備えることを特徴とする。
【００１２】
本発明にあっては、位置検出部の透過光の光強度が小さい場合、操作者の手が位置検出部に対し広い接触面積を有して接触しており、位置検出部に入射する環境光を遮る面積が広い手のひら等の部位が特定される。位置検出部の透過光の光強度が大きい場合、位置検出部に対し小さな接触面積を有して接触し、環境光を遮る面積が狭い指先等の部位が特定される。
【００１３】
本発明に係る操作受付装置は、前記位置検出部はドーム状をなすことを特徴とする。
【００１４】
本発明にあっては、ドーム形状の位置検出部を包み込むように接触した操作者の手のひらによる操作が受付けられる。
【００１５】
本発明に係る操作受付装置は、前記複数の部位は、手のひら及び指先であり、前記部位特定手段は、手のひら又は指先を特定するよう構成してあることを特徴とする。
【００１６】
本発明にあっては、手のひらによる操作及び指先による操作夫々が受付けられる。
【００１７】
本発明に係る操作受付装置は、前記位置検出部はドーム状をなし、前記操作受付手段は、前記部位特定手段が手のひらを特定した場合、前記位置検出部のドーム経線に略平行な摺動操作又は前記位置検出部のドーム頂点を略中心として回転する摺動操作を受付けるよう構成してあることを特徴とする。
【００１８】
本発明にあっては、操作者の手のひらが位置検出部のドーム経線に略平行な線を描くようなぞる操作と、位置検出部のドーム頂点を中心として右回り又は左回りに操作者の手首及び腕等を軸として回転する操作とが受付けられる。
【００１９】
本発明に係る操作受付装置は、操作画面を表示する表示部を備え、前記操作受付手段は、前記部位特定手段が指先を特定した場合、前記操作画面に応じた操作を受付けるよう構成してあることを特徴とする。
【００２０】
本発明にあっては、表示部によって表示された操作画面に応じた操作が操作者の指先により受付けられる。
【００２１】
本発明に係る操作受付装置は、前記部位特定手段が特定した部位に基づいて、被操作機器が有する複数の機能のうち少なくとも１つの機能を特定する機能特定手段を備え、前記操作受付手段は、前記機能特定手段が特定した機能に対応する操作を受付けるよう構成してあることを特徴とする。
【００２２】
本発明にあっては、被操作機器が有する複数の機能のうち、操作を受付ける機能が操作者の手の部位に応じて特定される。
【００２３】
本発明に係る操作受付装置は、前記位置検出部はタッチパネルであることを特徴とする。
【００２４】
本発明にあっては、タッチパネルに接触した操作者の手の部位に応じた操作が受付けられる。
【００２５】
本発明に係るコンピュータプログラムは、操作者の手によって接触された位置検出部が検出した接触位置に基づいて、複数の操作を受付ける操作受付装置が備えるコンピュータに、前記複数の操作のうち少なくとも１つの操作を特定させるコンピュータプログラムにおいて、コンピュータに、前記位置検出部が検出した接触位置に基づいて、前記手をなす複数の部位のうち前記位置検出部に接触した部位を特定する部位特定ステップと、該部位特定ステップで特定した部位に基づいて、前記複数の操作のうち少なくとも１つの操作を特定する操作特定ステップとを実行させる。
【００２６】
本発明にあっては、位置検出部に接触した操作者の手の部位が特定され、特定された部位に対応付けられた操作が受付けられる。
【００２７】
本発明に係るコンピュータプログラムは、操作者の手によって接触された位置検出部が検出した１つ又は複数の接触位置に基づいて、複数の操作を受付ける操作受付装置が備えるコンピュータに、前記複数の操作のうち少なくとも１つの操作を特定させるコンピュータプログラムにおいて、コンピュータに、前記位置検出部が検出した接触位置の個数に基づいて、前記手をなす複数の部位のうち前記位置検出部に接触した部位を特定する部位特定ステップと、該部位特定ステップで特定した部位に基づいて、前記複数の操作のうち少なくとも１つの操作を特定する操作特定ステップとを実行させる。
【００２８】
本発明にあっては、位置検出部が検出した接触位置の数が複数である場合、位置検出部に接触した操作者の手の部位として接触面積の広い手のひら等の部位が特定され、位置検出部が検出した接触位置の数が１つである場合、接触面積の狭い指等の部位が特定される。特定された部位に対応付けられた操作が受付けられる。
【００２９】
本発明に係るコンピュータプログラムは、光強度検出部が検出した透光性の位置検出部を透過する光の光強度に基づいて、複数の操作を受付ける操作受付装置が備えるコンピュータに、前記複数の操作のうち少なくとも１つの操作を特定させるコンピュータプログラムであって、コンピュータに、前記光強度検出部が検出した光強度に基づいて、操作者の手をなす複数の部位のうち前記位置検出部に接触した部位を特定する部位特定ステップと、該部位特定ステップで特定した部位に基づいて、前記複数の操作のうち少なくとも１つの操作を特定する操作特定ステップとを実行させる。
【００３０】
本発明にあっては、位置検出部の透過光の光強度が小さい場合、操作者の手が位置検出部に対し広い接触面積を有して接触しており、位置検出部に入射する環境光を遮る面積が広い手のひら等の部位が特定される。位置検出部の透過光の光強度が大きい場合、位置検出部に対し小さな接触面積を有して接触し、環境光を遮る面積が狭い指先等の部位が特定される。特定された部位に対応付けられた操作が受付けられる。
【発明の効果】
【００３１】
本発明にあっては、操作者の手をなす複数の部位のうち位置検出部に接触した部位を特定する部位特定手段と、特定した部位に基づいて受付ける操作を特定する操作特定手段とを備えることにより、操作者の手の複数の部位夫々に対応した複数の操作を受付可能にする。
【図面の簡単な説明】
【００３２】
【図１】実施の形態１に係る操作受付装置を含む映像表示システムの構成を示す模式図である。
【図２】実施の形態１に係る操作受付装置の内部構成例を示すブロック図である。
【図３】実施の形態１に係る操作受付装置の模式的平面図である。
【図４】実施の形態１に係る指先による直線摺動操作の検出方法を説明するための説明図である。
【図５】実施の形態１に係る指先による回転摺動操作の検出方法を説明するための説明図である。
【図６Ａ】実施の形態１に係る手のひらによる左右方向の直線摺動操作を示す模式図である。
【図６Ｂ】実施の形態１に係る手のひらによる左右方向の直線摺動操作を示す模式図である。
【図７】実施の形態１に係る手のひらによる左右方向の直線摺動操作の検出方法を説明するための説明図である。
【図８Ａ】実施の形態１に係る手のひらによる回転摺動操作を示す模式図である。
【図８Ｂ】実施の形態１に係る手のひらによる回転摺動操作を示す模式図である。
【図９Ａ】実施の形態１に係る手のひらによる回転摺動操作の検出方法を説明するための説明図である。
【図９Ｂ】実施の形態１に係る手のひらによる回転摺動操作の検出方法を説明するための説明図である。
【図１０Ａ】実施の形態１に係る操作画面の例を示す模式図である。
【図１０Ｂ】実施の形態１に係る操作画面の例を示す模式図である。
【図１１】実施の形態１に係る操作画面の他の例を示す模式図である。
【図１２Ａ】実施の形態１に係る操作画面の他の例を示す模式図である。
【図１２Ｂ】実施の形態１に係る操作画面の他の例を示す模式図である。
【図１３Ａ】実施の形態１に係る操作画面の他の例を示す模式図である。
【図１３Ｂ】実施の形態１に係る操作画面の他の例を示す模式図である。
【図１４】実施の形態１に係るチャンネル切替画面の例を示す模式図である。
【図１５】実施の形態１に係る操作受付処理の手順を示すフローチャートである。
【図１６】実施の形態１に係る手のひらによる摺動操作受付処理の手順を示すフローチャートである。
【図１７】実施の形態２に係る操作受付装置の内部構成を示すブロック図である。
【図１８】実施の形態２に係るタッチパネル部の構成を示す模式図である。
【図１９】実施の形態２に係る手のひらによる回転摺動操作の検出方法を説明するための説明図である。
【図２０】実施の形態２に係る操作受付処理の手順を示すフローチャートである。
【図２１】実施の形態２に係る手のひらによる摺動操作受付処理の手順を示すフローチャートである。
【図２２】実施の形態３に係る操作受付装置の内部構成を示すブロック図である。
【図２３Ａ】実施の形態３に係る手のひらによる回転摺動操作の検出方法を説明するための説明図である。
【図２３Ｂ】実施の形態３に係る手のひらによる回転摺動操作の検出方法を説明するための説明図である。
【図２４】実施の形態３に係る手のひらによる回転摺動操作の検出方法を説明するための説明図である。
【図２５】実施の形態３に係る操作受付処理の手順を示すフローチャートである。
【図２６】実施の形態３に係る手のひらによる摺動操作受付処理の手順を示すフローチャートである。
【図２７】実施の形態４に係る操作受付装置の内部構成を示すブロック図である。
【発明を実施するための形態】
【００３３】
実施の形態１
以下、本発明をその実施の形態を示す図面を参照して具体的に説明する。図１は、実施の形態１に係る操作受付装置を含む映像表示システムの構成を示す模式図である。操作受付装置は、被操作機器である受像機、ゲーム機器及びＰＣ（ Personal Computer ）等が有する機能に対応した操作を受付けるようにしてあり、被操作機器の内部に備えられたものであってもよい。本実施の形態１は、操作受付装置の被操作機器として受像機を例に挙げて説明する。図中１は、受像機２が有する各機能に対応する操作を受付ける操作受付装置を示す。
【００３４】
操作受付装置１は、操作画面を表示する液晶パネル等からなる表示部１２と、該表示部１２に覆設してあり、操作者の手の接触位置を検出するドーム状のタッチパネル部１１と、操作者の指による押下を検出する操作ボタン部１３とを備えている。タッチパネル部１１は、単一の接触位置を検出する表面型静電容量方式のタッチパネルからなる。ドーム形状を有する表面型静電容量方式のタッチパネルは、接触面積の小さい指先が接触した場合、指先の接触部分の略中央位置が接触位置として検出され、接触面積の大きな手のひらが接触した場合、手のひらの重心位置が接触位置として検出されることが経験的に知られている。
【００３５】
受像機２は、地上デジタル放送及びＢＳ（ Broadcasting Satellite ）放送等の放送波を受信するアンテナ３と、ネットワーク網Ｎを介して要求された映像コンテンツを配信するＶＯＤ（ Video On Demand）方式のサービスを提供する配信サーバ装置４と、表示部２１に表示する映像の録画及び録画した映像の再生を行う録画再生装置５とが接続してある。また、受像機２は、アンテナ３が受信した放送波に基づく放送映像、配信サーバ装置４から配信された配信映像及び録画再生装置５が再生する再生映像のうち、選択された映像を映像に付随した音声の出力と共に表示するための液晶パネル及びスピーカ等からなる表示部２１を備えている。
【００３６】
また、受像機２は、受信した放送波から選択されたチャンネルを選局する選局機能と、放送波に基づく映像、配信された映像及び録画再生装置５の再生映像のうち表示部２１に表示する映像を選択する映像選択機能と、録画再生装置５の再生機能を制御する再生制御機能とを有している。また、受像機２は、映像と共に出力する音声の音量を設定する音量設定機能と、電子番組表を表示する電子番組表閲覧機能とを備えている。操作受付装置１は、タッチパネル部１１が検出した接触位置に基づいて、指先による直線摺動操作又は回転摺動操作、並びに手のひらによる直線摺動操作又は回転摺動操作等の複数の操作のうち、いずれかの操作を特定するようにしてある。また、操作受付装置１は、特定した操作者の手の部位に基づいて受像機２が有する複数の機能のうち少なくも１つの機能を特定し、当該機能に対応した操作を受付けるようにしてある。
【００３７】
図２は、実施の形態１に係る操作受付装置１の内部構成例を示すブロック図である。操作受付装置１は、タッチパネル部１１が検出した接触位置の座標を変換する座標変換部１６と、バス１０ａを介して操作受付装置１のハードウェア各部を制御するＣＰＵ（ Central Processing Unit ）１０と、ＣＰＵ１０が実行するコンピュータプログラムを記憶してあるＲＯＭ（Read-Only Memory ）１８と、コンピュータプログラムの実行中に生じる変数等を記憶するためのＲＡＭ（ Random-Access Memory ）１７とを備えている。座標変換部１６は、ドーム状の曲面を有するタッチパネル部１１が検出した接触位置の座標を平面座標に変換し、検出座標としてバス１０ａを介してＣＰＵ１０に出力するようにしてある。
【００３８】
例えば、タッチパネル部１１のドーム頂点を底面に投影した座標を原点とし、底面上の平面座標は、操作者に対して左右方向に対応するＸ座標及び操作者に対して前後方向に対応するＹ座標を用いて示すと良い。これにより、タッチパネル部１１上でドーム経線に略平行な線を描く軌跡は、平面座標上で略直線を描く軌跡に変換される。また、操作受付装置１は、タッチパネル部１１の背面に配置してあり、タッチパネル部１１を透過する外部の環境光を受光して光強度を検出する光強度検出部（光強度検出手段）１４と、ＣＰＵ１０からバス１０ａを介して与えられる映像信号を表示部１２に表示可能な信号に処理して出力する表示処理部１５とを備える。表示部１２は、タッチパネル部１１の背面に配置されており、表示処理部１５から与えられた信号の映像を表示するようにしてある。
【００３９】
ＣＰＵ１０は、光強度検出部１４が検出した光強度に基づいてタッチパネル部１１に接触した操作者の手の部位を特定する部位特定手段、特定した部位に基づいて複数の操作から受付ける操作を特定する操作特定手段、特定した操作を受付ける操作受付手段として機能する。また、ＣＰＵ１０は、機能を特定した部位にも基づいて受像機２が有する複数の機能から、操作を受付ける機能を特定する機能特定手段としても機能する。
【００４０】
さらに操作受付装置１は、受像機２との間で赤外線を利用したＩｒＤＡ（ Infrared Data Association ）規格に従う無線通信を行う通信部１９を備える。操作受付装置１は、
タッチパネル部１１が検出した検出座標等に基づいて受付けた操作を示す操作信号を受像機２に送信すると共に、受像機２が有する機能のうち選択された機能を示す信号及び電子番組表等のデータ等を受像機２から受信するようにしてある。操作受付装置１と受像機２とを、赤外線を利用した無線通信だけでなく、例えば、ＩＥＥＥ８０２．１規格に準拠した無線ＬＡＮ及びＢｌｕｅｔｏｏｔｈ（登録商標）規格に準拠した無線通信等を介して接続してもよい。また、操作受付装置１及び受像機２間を信号テーブルで接続して有線通信するようにしてもよい。
【００４１】
図３は、実施の形態１に係る操作受付装置１の模式的平面図である。操作受付装置１が備える光強度検出部１４は、ドーム状のタッチパネル部１１の底面の中心を囲むよう底面の内周縁に沿って配設してあり、光強度を検出する４つの光強度検出部１４Ａ，１４Ｂ，１４Ｃ，１４Ｄからなり、光強度検出部１４Ａ，１４Ｂ，１４Ｃ，１４Ｄ夫々は、検出した光強度をＣＰＵ１０に与えるようにしてある。表示部１２は、光強度検出部１４Ａ，１４Ｂ，１４Ｃ，１４Ｄよりもタッチパネル部１１の底面の中心側に配してある。光強度検出部１４Ａ，１４Ｂ，１４Ｃ，１４Ｄが検出する光強度の合計値（以下、光強度Ｓ０と呼ぶ）は、タッチパネル部１１に接触している操作者の手の接触面積が大きい場合、外部からタッチパネル部１１に入射する環境光の多くが遮られるため、大きく減少する。
【００４２】
操作受付装置１は、光強度Ｓ０が所定値よりも小さい場合、操作者の指先よりも接触面積が大きい手のひらがタッチパネル部１１に接触していると判定し、操作者の手の接触部位を手のひらに特定する。また、操作受付装置１は、光強度Ｓ０が所定値よりも大きい場合、操作者の手のひらよりも接触面積が小さい指先がタッチパネル部１１に接触していると判定し、操作者の手の接触部位を指先に特定する。光強度Ｓ０に対して設定される所定値は、タッチパネル部１１の表面積、通常の使用状態でタッチパネル部１１に入射する環境光の光強度及び平均的な操作者の手のひらの大きさ等に基づいて経験的及び実験的に決定し、予めＲＯＭ１８に記憶しておくとよい。次に、操作受付装置１が操作者の指先による摺動操作を特定して受付ける手順を説明する。
【００４３】
図４は、実施の形態１に係る指先による直線摺動操作の検出方法を説明するための説明図である。図中白抜矢印は、タッチパネル部１１に接触した操作者の人差し指の移動方向を示す。操作受付装置１は、検出座標のＸ座標が増大又は減少し、Ｙ座標の変位が所定変位以下である場合、右方向及び左方向の直線摺動操作を特定して受付ける。図４に示す例では、タッチパネル部１１に接触した操作者の人差し指の略中央位置が検出座標１１ａとして取得されており、当該検出座標１１ａが右方向に摺動した場合、右方向の直線摺動操作が受付けられる。また、操作受付装置１は、検出座標のＹ座標が増大又は減少し、Ｘ座標の変位が所定変位以下である場合、操作者に対する前後方向、すなわちＸＹ座標の上下方向の直線摺動操作を受付ける。
【００４４】
図５は、実施の形態１に係る指先による回転摺動操作の検出方法を説明するための説明図である。図中白抜矢印は、タッチパネル部１１に接触した操作者の人差し指の移動方向を示す。操作受付装置１は、タッチパネル部１１のドーム緯線に沿って操作者の指先が移動することにより、検出座標がＸＹ座標の原点Ｏを中心として右回り又は左回りに移動すると共に、半径方向の変位が所定量以下である場合、左右回りの回転摺動操作を特定して受付ける。図５に示す例では、タッチパネル部１１に接触した操作者の人差し指の略中央位置が検出座標１１ｂとして取得されており、当該検出座標１１ｂが左回りに摺動した場合、左回りの回転摺動操作が受付けられる。次に、操作受付装置１が操作者の手のひらによる摺動操作を特定して受付ける手順を説明する。
【００４５】
図６Ａ、６Ｂ及び図７夫々は、実施の形態１に係る手のひらによる直線摺動操作を示す模式図及び手のひらによる直線摺動操作の検出方法を説明するための説明図である。操作受付装置１は、タッチパネル部１１に接触した操作者の手の部位を手のひらと特定した状態で、タッチパネル部１１のドーム経線に対して略平行に操作者の手のひらが移動し、検出座標のＸ座標が所定量以上を増大又は減少すると共に、Ｙ座標の変位が所定量以下である場合、手のひらによる左右方向の直線摺動操作を特定して受付ける。
【００４６】
図６Ａ、６Ｂに示す例では、図６Ａに示す如く手のひらがドーム状のタッチパネル部１１を覆うように接触した状態から、ドーム経線に略平行であり白抜矢印で示す左方向に向かって図６Ｂに示す如くタッチパネル部１１の左側に向かって移動している。この場合、図７に示す如くタッチパネル部１１に接触した操作者の手のひらの重心位置が検出座標１１ｃとして取得されており、当該検出座標１１ｃが所定量以上を左方向に移動した場合、左方向の直線摺動操作が受付けられる。また、操作受付装置１は、検出座標のＹ座標が所定量以上を増大又は減少すると共に、Ｘ座標の変位が所定量以下である場合、手のひらによる上下方向の直線摺動操作を受付ける。
【００４７】
図８Ａ、８Ｂは、実施の形態１に係る手のひらによる回転摺動操作を示す模式図である。操作受付装置１は、タッチパネル部１１に接触した操作者の手の部位を手のひらと特定した状態で、タッチパネル部１１の検出座標の移動距離が所定量未満である場合、光検出部１４Ａ及び１４Ｃにより検出された光強度の合計値（以下、光強度Ｓ１と呼ぶ）と、光検出部１４Ｂ及び１４Ｄにより検出された光強度の合計値（以下、光強度Ｓ２と呼ぶ）とを取得する。操作受付装置１は、光強度Ｓ１が光強度Ｓ２よりも小さい状態から、光強度Ｓ１が光強度Ｓ２よりも大きい状態へ変化した場合、右回りの回転摺動操作を特定して受付ける。
【００４８】
また、操作受付装置１は、光強度Ｓ１が光強度Ｓ２よりも大きい状態から、光強度Ｓ１が光強度Ｓ２よりも小さい状態へ変化した場合、左回りの回転摺動操作を特定して受付ける。図８Ａ、８Ｂに示す例では、図８Ａに示す如く手のひらがドーム状のタッチパネル部１１を覆うように接触した状態から図８Ｂに示す如くドーム頂点を中心として白抜矢印で示す左回りに回転している。
【００４９】
図９Ａ、９Ｂは、実施の形態１に係る手のひらによる回転摺動操作の検出方法を説明するための説明図である。図９Ａは、図８Ａに示す如く手のひらがタッチパネル部１１に接触している場合に対応している。この場合、光検出部１４Ａ，１４Ｃが検出する光強度の合計値である光強度Ｓ１は、光検出部１４Ｂ，１４Ｄが検出する光強度の合計値である光強度Ｓ２よりも大きい状態にある。図９Ｂは、図８Ｂに示す如くタッチパネル部１１上を手のひらが左回りに回転した場合に対応している。この場合、光検出部１４Ａ，１４Ｃが検出する光強度の合計値である光強度Ｓ１は、光検出部１４Ｂ，１４Ｄが検出する光強度の合計値である光強度Ｓ２よりも小さい状態にある。図９Ａ、９Ｂに示す例では、検出座標１１ｄ及び検出座標１１ｅ間の移動距離が所定量以下である場合、手のひらによる左回りの回転摺動操作が受付けられる。次に操作受付装置１が受付けた指先による直線摺動操作と、指先に対応して特定される受像機２の機能との対応関係の例を示す。
【００５０】
図１０Ａ、１０Ｂは、実施の形態１に係る操作画面の例を示す模式図である。操作受付装置１は、受像機２が映像を表示している状態で、指先による左方向又は右方向の直線摺動操作を受付けた場合、表示部１２に音量を設定するための操作画面を表示する。操作受付装置１は、指先による右方向の直線摺動操作に応じて、受像機２の音量設定機能に対応して設定音量を増加させる操作を受付ける。また、操作受付装置１は、指先による左方向の直線摺動操作に応じて、受像機２の音量設定機能に対応して設定音量を減少させる操作を受付ける。図１０Ａに示す如く受像機２の設定音量に対応する数の短冊状のバーが間隙を有して配列してあり、右方向の直線摺動操作を受付けた場合、図１０Ｂに示す如く検出座標の右方向への移動に応じて表示されるバーが追加されて設定音量が増加したことが示される。すなわち、表示部１２に表示された操作画面に応じた操作が指先による直線摺動操作により受付けられる。
【００５１】
図１１は、実施の形態１に係る操作画面の他の例を示す模式図である。操作受付装置１は、受像機２が電子番組表閲覧機能を実行している場合、受像機２から受信した電子番組情報に基づいて受像機２の電子番組表閲覧機能に対応しており、操作者が電子番組表を閲覧するための操作画面を表示する。操作受付装置１は、下方向の直線摺動操作に応じて、表示部１２に表示している操作画面の表示内容である電子番組表を下方向にスクロールする。また、操作受付装置１は、上方向の直線摺動操作に応じて、操作画面の表示内容である電子番組表を上方向にスクロールする。
【００５２】
図１１に示す例では、番組名「ＢＳワイドショー」及び番組開始時刻「１９：００」等が番組内容と共に操作画面に表示されている。これにより、表示部１２に表示された操作画面の操作内容に対するスクロール表示が指先による直線摺動操作により受付けられる。次に操作受付装置１が受付けた指先による回転摺動操作と、指先に対応して特定される受像機２の機能との対応関係の例を示す。
【００５３】
操作受付装置１は、受像機２が録画再生装置５の再生を制御する再生制御機能を実行している場合、表示部１２に受像機２の再生制御機能に対応する操作画面を表示する。操作受付装置１は、指先による左回りの回転摺動操作に応じて、受像機２に巻き戻し再生を指示する操作を受付けると共に、当該操作を受付けたことを示す操作画面を表示部１２に表示する。また、操作受付装置１は、巻き戻し再生を指示する操作を受付けた状態で、タッチパネル部１１が指先によるクリック操作を受付けた場合、受像機２に通常再生を指示する操作を受付けると共に、当該操作を受付けたことを示す操作画面を表示部１２に表示する。
【００５４】
図１２Ａ、１２Ｂは、実施の形態１に係る操作画面の他の例を示す模式図である。図１２Ａに示す例では、巻き戻し再生を指示する操作を受付けたことを示す２つの三角形が１つの頂点を左向きに隣接して操作画面に表示されている。図１２Ｂに示す例では、通常再生を受付けたことを示す１つの三角形が１つの頂点を右向きに操作画面に表示されている。
【００５５】
操作受付装置１は、通常再生を受付けた状態で、指先による右回りの回転摺動操作を受付けた場合、受像機２に早送り再生を指示する操作を受付けると共に、当該操作を受付けたことを示す操作画面を表示部１２に表示する。また、操作受付装置１は、早送り再生を指示する操作を受付けた状態で、タッチパネル部１１が指先によるクリック操作を受付けた場合、受像機２に通常再生を指示する操作を受付けると共に、当該操作を受付けたことを示す操作画面を表示部１２に表示する。
【００５６】
図１３Ａ、１３Ｂは、実施の形態１に係る操作画面の他の例を示す模式図である。図１３Ａに示す例では、早送り操作を受付けたことを示す２つの三角形が１つの頂点を右向きに隣接して操作画面に表示されている。図１３Ｂに示す例では、一時停止を受付けたことを示す２つの短冊が操作画面に表示されている。次に操作受付装置１が受付けた手のひらによる直線摺動操作と、手のひらに対応して特定される受像機２が有する機能との対応関係の例を説明する。
【００５７】
操作受付装置１は、受像機２が放送波を受信して映像を表示している状態で、手のひらによる左方向又は右方向の直線摺動操作を受付けた場合、受像機２の選局機能に対応するチャンネル切替操作を受付ける。操作受付装置１は、右方向の直線摺動操作に応じて、受像機２が選局するチャンネルをチャンネル番号の昇順に切替えるチャンネル送り操作を受付ける。また、操作受付装置１は、左方向の直線摺動操作に応じて、受像機２が選局するチャンネルをチャンネル番号の降順に切替えるチャンネル戻し操作を受付ける。受像機２は、表示部２１にチャンネル切替画面を表示し、操作受付装置１が受付けたチャンネル送り操作又はチャンネル戻し操作に従って、選局するチャンネルを切替えるようにしてある。
【００５８】
図１４は、実施の形態１に係るチャンネル切替画面の例を示す模式図である。図１４に示す例では、複数のチャンネルで放送される映像夫々に対するサムネイル映像がチャンネル切替画面に表示、すなわちザッピング表示されている。また、受像機２が選局しているチャンネルの映像に対するサムネイル映像がチャンネル番号「２ＣＨ」及び番組名「世界一決定戦」と共にチャンネル切替画面の略中央に表示されている。これにより、受像機２の表示部２１に表示されたチャンネル切替画面に応じたチャンネル送り操作又はチャンネル戻し操作が手のひらによる左右方向の直線摺動操作により受付けられる。
【００５９】
また、操作受付装置１は、手のひらによる上下方向の直線摺動操作を受付けた場合、放送される番組のジャンルを電子番組表に基づいて切替えることにより、切り替えたジャンルの番組が放送されるチャンネルに切替えて選局するジャンル切替操作を受付ける。受像機２は、操作受付装置１が検出座標を取得しなくなった場合、選択されているチャンネルの映像を全画面表示する映像画面に切替える。次に操作受付装置１が受付けた手のひらによる回転摺動操作と、手のひらに応じて特定される受像機２が有する機能との対応関係の例を説明する。
【００６０】
受像機２は、放送映像、配信映像及び再生映像のうち、表示部２１に表示する映像を切替える操作を受付けるようにしてあり、各映像を切替える切替順番が予め設定してある。操作受付装置１は、手のひらによる右回りの回転摺動操作を受付けた場合、受像機２が表示する映像を予め設定してある切替順番に従って切替えさせる映像送り操作を受付ける。また、操作受付装置１は、左回りの回転摺動操作を受付けた場合、受像機２が表示する映像を予め設定してある切替順番の逆順に従って切替えさせる映像戻り操作を受付ける。
【００６１】
図１５は、実施の形態１に係る操作受付処理の手順を示すフローチャートである。操作受付処理は、タッチパネル部１１に操作者の手が接触し検出座標が取得された場合、ＣＰＵ１０により実行される。ＣＰＵ１０は、光強度Ｓ０を取得する（ステップＳ１１）。ＣＰＵ１０は、取得した光強度Ｓ０が所定値以上であるか否かを判定する（ステップＳ１２）。ＣＰＵ１０は、取得した光強度Ｓ０が所定値以上でないと判定した場合（ステップＳ１２でＮＯ）、手のひらを特定する（ステップＳ１３）。ＣＰＵ１０は、光強度Ｓ１，Ｓ２を取得し（ステップＳ１４）、取得した光強度Ｓ１，Ｓ２を記憶する（ステップＳ１５）。ＣＰＵ１０は、後述の手のひらによる摺動操作受付処理を実行する（ステップＳ１６）。
【００６２】
ＣＰＵ１０は、タッチパネル部１１から継続して検出座標を取得しているか否かを判定する（ステップＳ１７）。ＣＰＵ１０は、検出座標を取得していると判定した場合（ステップＳ１７でＹＥＳ）、手のひらによる摺動操作受付処理を実行するステップＳ１６に処理を戻す。ＣＰＵ１０は、検出座標を取得していないと判定した場合（ステップＳ１７でＮＯ）、操作受付処理を終了する。ＣＰＵ１０は、取得した光強度Ｓ０が所定値以上であるか否かを判定するステップＳ１２において、所定値以上であると判定した場合（ステップＳ１２でＹＥＳ）、指先を特定する（ステップＳ１８）。
【００６３】
ＣＰＵ１０は、表示部１２に操作画面を表示し（ステップＳ１９）、指先による摺動操作受付処理を特定する（ステップＳ２０）。ＣＰＵ１０は、特定した操作を受付ける（ステップＳ２１）。ＣＰＵ１０は、タッチパネル部１１から継続して検出座標を取得しているか否かを判定する（ステップＳ２２）。ＣＰＵ１０は、検出座標を取得していると判定した場合（ステップＳ２２でＹＥＳ）、指先による摺動操作を特定するステップＳ２０に処理を戻す。ＣＰＵ１０は、検出座標を取得していないと判定した場合（ステップＳ２２でＮＯ）、操作受付処理を終了する。
【００６４】
図１６は、実施の形態１に係る手のひらによる摺動操作受付処理の手順を示すフローチャートである。ＣＰＵ１０は、検出座標が所定量以上を移動したか否かを判定する（ステップＳ３１）。ＣＰＵ１０は、検出座標が所定量以上を移動したと判定した場合（ステップＳ３１でＹＥＳ）、直線摺動操作を特定し（ステップＳ３２）、特定した操作を受付けて（ステップＳ４０）、手のひらによる摺動操作受付処理を終了する。ＣＰＵ１０は、検出座標が所定量以上を移動していないと判定した場合（ステップＳ３１でＮＯ）、記憶してある光強度Ｓ１が記憶してある光強度Ｓ２よりも小さいか否かを判定する（ステップＳ３３）。ＣＰＵ１０は、記憶してある光強度Ｓ１が記憶してある光強度Ｓ２よりも小さいと判定した場合（ステップＳ３３でＹＥＳ）、光検出部１４が検出している光強度Ｓ１，Ｓ２を取得する（ステップＳ３４）。
【００６５】
ＣＰＵ１０は、取得した光強度Ｓ１が取得した光強度Ｓ２よりも大きいか否かを判定する（ステップＳ３５）。ＣＰＵ１０は、取得した光強度Ｓ１が取得した光強度Ｓ２よりも大きいと判定した場合（ステップＳ３５でＹＥＳ）、右回りの回転摺動操作を特定して（ステップＳ３６）、特定した操作を受付けるステップＳ４０に処理を移す。ＣＰＵ１０は、取得した光強度Ｓ１が取得した光強度Ｓ２よりも大きくないと判定した場合（ステップＳ３５でＮＯ）、手のひらによる摺動操作受付処理を終了する。ＣＰＵ１０は、記憶してある光強度Ｓ１が記憶してある光強度Ｓ２よりも小さいか否かを判定するステップＳ３３において、記憶してある光強度Ｓ１が記憶してある光強度Ｓ２よりも小さくないと判定した場合（ステップＳ３３でＮＯ）、光検出部１４が検出している光強度Ｓ１，Ｓ２を取得する（ステップＳ３７）。
【００６６】
ＣＰＵ１０は、取得した光強度Ｓ１が取得した光強度Ｓ２よりも小さいか否かを判定する（ステップＳ３８）。ＣＰＵ１０は、取得した光強度Ｓ１が取得した光強度Ｓ２よりも小さいと判定した場合（ステップＳ３８でＹＥＳ）、左回りの回転摺動操作を特定して（ステップＳ３９）、特定した操作を受付けるステップＳ４０に処理を移す。ＣＰＵ１０は、取得した光強度Ｓ１が取得した光強度Ｓ２よりも小さくないと判定した場合（ステップＳ３８でＮＯ）、手のひらによる摺動操作受付処理を終了する。
【００６７】
本実施の形態１では、ＲＯＭ１８に予め記憶してある光強度Ｓ０に対する所定値を用いて操作者の手のひら又は指先を特定する場合を示したが、これに限るものではなく例えば、操作受付装置１のタッチパネル部１１に操作者の手が触れておらず、検出座標が取得されない期間に光強度Ｓ０を取得し、取得した光強度Ｓ０に基づいてＲＯＭ１８に記憶してある所定値を補正して用いてもよい。例えば、操作受付装置１が暗い部屋に置かれている場合、操作者の手が触れていない状態で取得した光強度Ｓ０に基づいてＲＯＭ１８に記憶してある所定値を減少するよう補正するとよい。
【００６８】
また、光強度Ｓ０に対する所定値をＲＯＭ１８に記憶しておく場合に限るものではなく、所定比率を記憶しておいてもよい。例えば、所定比率として３０％をＲＯＭ１８に記憶しておくと共に、検出座標が取得されない状態の光強度Ｓ０をＲＡＭ１７に記憶し、検出座標が取得された状態でＲＡＭ１７に記憶してある光強度Ｓ０の３０％未満に相当する光強度Ｓ０が取得された場合、手のひらを特定するようにすればよい。
【００６９】
受像機２は、操作受付装置１が検出座標を取得しなくなった場合、チャンネル切替画面から映像画面へ切替える例を示したが、これに限るものではなく、光強度Ｓ０に対して予め設定された複数の閾値に基づいて段階的にチャンネル切替画面において選択されているチャンネルの映像を拡大して、映像画面へ切替えてもよい。これにより、手のひらがタッチパネル部１１から離れるに従って選択されているチャンネルの映像が拡大されて、全画面表示される。操作受付装置１は、操作ボタン部１３が受付ける押下操作と、手のひら又は指先による直線摺動操作又は回転摺動操作とを組み合わせた操作を受付けるようにしてもよい。
【００７０】
実施の形態２
図１７及び図１８夫々は、実施の形態２に係る操作受付装置の内部構成を示すブロック図及びタッチパネル部の構成を示す模式図である。本実施の形態２は、実施の形態１が光強度に基づいて手のひらによる回転摺動操作を受付けるのに対して、２枚のタッチパネル夫々が検出した検出座標に基づいて受付けるようにしてある。図１７中６は、２枚のタッチパネルからなるタッチパネル部６１と、光強度を検出する光強度検出部６２とを備えた操作受付装置を示す。光強度検出部６２は、光強度検出部１４Ａ，１４Ｂ，１４Ｃ，１４Ｄ夫々が検出した光強度の合計値である光強度Ｓ０を取得するようにしてある。図１８に示す如くタッチパネル部６１は、ドーム状の上部タッチパネル６１１と、上部タッチパネル６１１の周縁に沿って接合してある略円筒状の下部タッチパネル６１２とからなり、上部タッチパネル６１１及び下部タッチパネル６１２夫々が検出した座標を検出座標として取得するようにしてある。
【００７１】
図１９は、実施の形態２に係る手のひらによる回転摺動操作の検出方法を説明するための説明図である。図中白抜矢印は、ドーム状のタッチパネル部６１を覆うように接触した操作者の手が回転する方向を示す。図中６１１ａ及び６１２ａは、手のひらの重心位置に対応して上部タッチパネル６１１が検出した検出座標及び指先の略中心位置に対応して下部タッチパネル６１２が検出した検出座標を示す。静電容量型のタッチパネルである下部タッチパネル６１２は、操作者の複数の指先が下部タッチパネル６１２に接触している場合、いずれかの指先の略中心位置を検出座標として検出する。操作受付装置１は、検出座標６１１ａの移動距離が所定量以下である場合、検出座標６１２ａの左回り又は右回りの移動に応じて、手のひらによる左回り又は右回りの回転摺動操作を受付ける。
【００７２】
図２０は、実施の形態２に係る操作受付処理の手順を示すフローチャートである。ＣＰＵ１０は、光強度Ｓ０を取得する（ステップＳ５１）。ＣＰＵ１０は、取得した光強度Ｓ０が所定値以上であるか否かを判定する（ステップＳ５２）。ＣＰＵ１０は、取得した光強度Ｓ０が所定値以上でないと判定した場合（ステップＳ５２でＮＯ）、手のひらを特定する（ステップＳ５３）。ＣＰＵ１０は、後述の手のひらによる摺動操作受付処理を実行する（ステップＳ５４）。ＣＰＵ１０は、タッチパネル部６１から継続して検出座標を取得しているか否かを判定する（ステップＳ５５）。ＣＰＵ１０は、検出座標を取得していると判定した場合（ステップＳ５５でＹＥＳ）、手のひらによる摺動操作受付処理を実行するステップＳ５４に処理を戻す。
【００７３】
ＣＰＵ１０は、検出座標を取得していないと判定した場合（ステップＳ５５でＮＯ）、操作受付処理を終了する。ＣＰＵ１０は、取得した光強度Ｓ０が所定値以上であるか否かを判定するステップＳ５２において、所定値以上であると判定した場合（ステップＳ５２でＹＥＳ）、指先を特定する（ステップＳ５６）。ＣＰＵ１０は、表示部１２に操作画面を表示し（ステップＳ５７）、指先による摺動操作を特定して（ステップＳ５８）、特定した操作を受付ける（ステップＳ５９）。ＣＰＵ１０は、タッチパネル部６１から継続して検出座標を取得しているか否かを判定する（ステップＳ６０）。ＣＰＵ１０は、検出座標を取得していると判定した場合（ステップＳ６０でＹＥＳ）、指先による摺動操作を特定するステップＳ５８に処理を戻す。ＣＰＵ１０は、検出座標を取得していないと判定した場合（ステップＳ６０でＮＯ）、操作受付処理を終了する。
【００７４】
図２１は、実施の形態２に係る手のひらによる摺動操作受付処理の手順を示すフローチャートである。ＣＰＵ１０は、上部タッチパネル６１１が検出した上部検出座標が所定量以上を移動したか否かを判定する（ステップＳ７１）。ＣＰＵ１０は、上部検出座標が所定量以上を移動したと判定した場合（ステップＳ７１でＹＥＳ）、直線摺動操作を特定し（ステップＳ７２）、特定した操作を受付けて（ステップＳ７７）、手のひらによる摺動操作受付処理を終了する。ＣＰＵ１０は、上部検出座標が所定量以上を移動していないと判定した場合（ステップＳ７１でＮＯ）、下部タッチパネル６１２が検出した下部検出座標が右回りに移動した否かを判定する（ステップＳ７３）。
【００７５】
ＣＰＵ１０は、下部検出座標が右回りに移動したと判定した場合（ステップＳ７３でＹＥＳ）、右回りの回転摺動操作を特定して（ステップＳ７４）、特定した操作を受付けるステップＳ７７に処理を移す。ＣＰＵ１０は、下部検出座標が右回りに移動していないと判定した場合（ステップＳ７３でＮＯ）、下部検出座標が左回りに移動したか否かを判定する（ステップＳ７５）。ＣＰＵ１０は、下部検出座標が左回りに移動したと判定した場合（ステップＳ７５でＹＥＳ）、左回りの回転摺動操作を特定して（ステップＳ７６）、特定した操作を受付けるステップＳ７７に処理を移す。ＣＰＵ１０は、下部検出座標が左回りに移動していないと判定した場合（ステップＳ７５でＮＯ）、手のひらによる摺動操作受付処理を終了する。
【００７６】
光強度検出部６２は、光検出部１４Ａ，１４Ｂ，１４Ｃ，１４Ｄからなる場合を示したが、これに限るものではなく手のひら及び指先による光強度の変化を検出可能に配した１つの光強度検出部からなるものでもよい。また、操作受付処理の手順として光強度検出部によって取得した光強度Ｓ０の値が所定値以上かどうかで手のひらか指先かを特定する方法について説明したが、これに限るものではなく上部タッチパネル６１１と下部タッチパネル６１２が同時に座標を検出した場合は手のひら、上部タッチパネルまたは下部タッチパネルのどちらかが座標を検出した場合は指先と特定してもよい。このときタッチパネル部の構成に光強度検出部６２は必要ない。
【００７７】
本実施の形態２は以上の如き構成としてあり、その他の構成、作用及び処理は実施の形態１と同様であるので対応する部分には同一の符号及び処理名を付してその詳細な説明を省略する。
【００７８】
実施の形態３
図２２は、実施の形態３に係る操作受付装置の内部構成を示すブロック図である。本実施の形態３は、実施の形態１及び２が単一の座標を検出可能にしてあるタッチパネル部を備えるのに対して複数の座標を同時に検出可能にしてあるタッチパネル部を備える。図中７は、複数の接触位置を検出可能な投影型静電容量方式のタッチパネル部７１を備える操作受付装置を示す。操作受付装置７は、１つの検出座標を取得した場合、接触している操作者の手の部位として指先を特定し、複数の検出座標を取得した場合、手のひらを特定するようにしてある。ＣＰＵ１０は、タッチパネル部７１が検出した検出座標の個数に基づいてタッチパネル部７１に接触した操作者の手の部位を特定する部位特定手段として機能する。
【００７９】
図２３Ａ、２３Ｂ及び図２４は、実施の形態３に係る手のひらによる回転摺動操作の検出方法を説明するための説明図である。操作受付装置７は、操作者の手の部位を手のひらと特定した状態で、各検出座標が移動した場合、移動前の各検出座標から移動後の各検出座標へ向かう移動ベクトルを算出する。図２３Ａ、２３Ｂに示す例では、図２３Ａに示す如く手のひらがドーム状のタッチパネル部７１を覆うように接触した状態で操作者の各指に対応する検出座標７１１ａ、７１２ａ、７１３ａ、７１４ａ、７１５ａが検出されており、手のひらが白抜矢印で示す右方向に回転するに伴い、各検出座標は、図２３Ｂに示す検出座標７１１ｂ、７１２ｂ、７１３ｂ、７１４ｂ、７１５ｂ夫々に移動している。
【００８０】
この場合、操作受付装置７は、図２４に示す如く検出座標７１１ａから検出座標７１１ｂへ向かう移動ベクトルＶ１と、検出座標７１２ａから検出座標７１２ｂへ向かう移動ベクトルＶ２と、検出座標７１３ａから検出座標７１３ｂへ向かう移動ベクトルＶ３と、検出座標７１４ａから検出座標７１４ｂへ向かう移動ベクトルＶ４と、検出座標７１５ａから検出座標７１５ｂへ向かう移動ベクトルＶ５夫々を算出する。操作受付装置７は、算出した複数の移動ベクトル全てが、Ｘ軸に対する傾きが所定角度以下であり、Ｘ軸に対して略平行であるＸ方向ベクトルのみからなる場合、Ｘ方向への直線摺動操作、すなわち左右方向の直線摺動操作を受付ける。
【００８１】
操作受付装置７は、算出した複数の移動ベクトル全てが、Ｙ軸に対する傾きが所定角度以下であり、Ｙ軸に対して略平行であるＹ方向ベクトルのみからなる場合、Ｙ方向への直線摺動操作、すなわち上下方向の直線摺動操作を受付ける。また、操作受付装置１は、算出した複数のベクトルがＸ方向ベクトルのみ又はＹ方向ベクトルのみでない場合、算出した複数のベクトルに基づいて回転摺動操作を受付ける。
【００８２】
図２５は、実施の形態３に係る操作受付処理の手順を示すフローチャートである。ＣＰＵ１０は、検出座標が複数であるか否かを判定する（ステップＳ９１）。ＣＰＵ１０は、検出座標が複数であると判定した場合（ステップＳ９１でＹＥＳ）、手のひらを特定する（ステップＳ９２）。ＣＰＵ１０は、各検出座標を記憶し（ステップＳ９３）、後述の手のひらによる摺動操作受付処理を実行する（ステップＳ９４）。ＣＰＵ１０は、タッチパネル部７１から継続して検出座標を取得しているか否かを判定する（ステップＳ９５）。ＣＰＵ１０は、検出座標を取得していると判定した場合（ステップＳ９５でＹＥＳ）、手のひらによる摺動操作受付処理を実行するステップＳ９４に処理を戻す。
【００８３】
ＣＰＵ１０は、検出座標を取得していないと判定した場合（ステップＳ９５でＮＯ）、操作受付処理を終了する。ＣＰＵ１０は、検出座標が複数であるか否かを判定するステップＳ９１において、複数でないと判定した場合（ステップＳ９１でＮＯ）、指先を特定する（ステップＳ９６）。ＣＰＵ１０は、表示部１２に操作画面を表示し（ステップＳ９７）、指先による摺動操作受付処理を特定して（ステップＳ９８）、特定した操作を受付ける（ステップＳ９９）。ＣＰＵ１０は、タッチパネル部７１から継続して検出座標を取得しているか否かを判定する（ステップＳ１００）。ＣＰＵ１０は、検出座標を取得していると判定した場合（ステップＳ１００でＹＥＳ）、指先による摺動操作を特定するステップＳ９８に処理を戻す。ＣＰＵ１０は、検出座標を取得していないと判定した場合（ステップＳ１００でＮＯ）、操作受付処理を終了する。
【００８４】
図２６は、実施の形態３に係る手のひらによる摺動操作受付処理の手順を示すフローチャートである。ＣＰＵ１０は、検出座標を取得し（ステップＳ１１１）、記憶してある複数の検出座標から取得した検出座標への各移動ベクトルを算出する（ステップＳ１１２）。ＣＰＵ１０は、算出した移動ベクトルがＸ方向ベクトルのみからなるか否かを判定する（ステップＳ１１３）。ＣＰＵ１０は、算出した移動ベクトルがＸ方向ベクトルのみからなると判定した場合（ステップＳ１１３でＹＥＳ）、左右方向の直線摺動操作を特定し（ステップＳ１１４）、特定した操作を受付けて（ステップＳ１１８）、手のひらによる摺動操作受付処理を終了する。
【００８５】
ＣＰＵ１０は、算出した移動ベクトルがＸ方向ベクトルのみからならないと判定した場合（ステップＳ１１３でＮＯ）、算出した移動ベクトルがＹ方向ベクトルのみからなるか否かを判定する（ステップＳ１１５）。ＣＰＵ１０は、算出した移動ベクトルがＹ方向ベクトルのみからなると判定した場合（ステップＳ１１５でＹＥＳ）、上下方向の直線摺動操作を特定して（ステップＳ１１６）、特定した操作を受付けるステップＳ１１８に処理を移す。ＣＰＵ１０は、算出した移動ベクトルがＹ方向ベクトルのみからならないと判定した場合（ステップＳ１１５でＮＯ）、算出した移動ベクトルに基づいて右回り又は左回りの回転摺動操作を特定して（ステップＳ１１７）、特定した操作を受付けるステップＳ１１８に処理を移す。
【００８６】
本実施の形態３は以上の如き構成としてあり、その他の構成及び作用は実施の形態１と同様であるので対応する部分には同一の符号及び処理名を付してその詳細な説明を省略する。
【００８７】
実施の形態４
図２７は、実施の形態４に係る操作受付装置の内部構成を示すブロック図である。本実施の形態４は、実施の形態１がＲＯＭに記憶してあるコンピュータプログラムを読み出して実行するのに対して、書き換え可能なＥＥＰＲＯＭ（ Electrically Erasable Programmable Read-Only Memory ）に記録してあるコンピュータプログラムを読み出して実行するようにしてある。図中８は、ＣＰＵ１０にバス１０ａを介して接続されたフラッシュメモリ等からなるＥＥＰＲＯＭ８２及び記録媒体読込部８１を備える操作受付装置を示す。
【００８８】
操作受付装置８は、記録媒体読込部８１に挿入されたＣＤ（ Compact Disk ）−ＲＯＭ又はＤＶＤ（ Digital Versatile Disk ）−ＲＯＭ等の記録媒体８１０からコンピュータプログラム８１１を読み込んでＥＥＰＲＯＭ８２に記憶するようにしてある。ＣＰＵ１０は、ＥＥＰＲＯＭ８２から読み出された本発明のコンピュータプログラム８１１に従って、操作受付装置８に必要な処理を実行する構成となっている。コンピュータプログラム８１１は、光強度検出部１４が検出した光強度に基づいてタッチパネル部１１に接触した操作者の手の部位を特定する（部位特定ステップ）。
【００８９】
コンピュータプログラム８１１は、特定した部位に基づいて操作受付装置８が受付ける操作を特定する(操作特定ステップ)。本発明に係るコンピュータプログラム８１１は、記録媒体８１０から読み出してＥＥＰＲＯＭ８２に記憶される場合に限るものではなく、工場出荷時にコンピュータプログラム８１１を記憶したＥＥＰＲＯＭ８２を操作受付装置８内部に装着してもよい。
【００９０】
本実施の形態４は以上の如き構成としてあり、その他の構成、作用及び処理は実施の形態１、２及び３と同様であるので対応する部分には同一の符号及び処理名を付してその詳細な説明を省略する。
【符号の説明】
【００９１】
１，６，７，８ 操作受付装置
２ 受像機
３ アンテナ
４ 配信サーバ装置
５ 録画再生装置
Ｎ ネットワーク網
Ｏ 原点
１０ ＣＰＵ
１０ａ バス
１１，６１，７１ タッチパネル部
１２ 表示部
１３ 操作ボタン部
１４，１４Ａ，１４Ｂ，１４Ｃ，１４Ｄ，６２ 光強度検出部
１５ 表示処理部
１６ 座標変換部
１７ ＲＡＭ
１８ ＲＯＭ
１９ 通信部
１１ａ，１１ｂ，１１ｃ，１１ｄ，１１ｅ，６１１ａ，６１２ａ，７１１ａ，７１１ｂ，７１２ａ，７１２ｂ，７１３ａ，７１３ｂ，７１４ａ，７１４ｂ，７１５ａ，７１５ｂ 検出座標
６１１ 上部タッチパネル
６１２ 下部タッチパネル
Ｖ１，Ｖ２，Ｖ３，Ｖ４，Ｖ５ 移動ベクトル
８１ 記録媒体読込部
８２ ＥＥＰＲＯＭ
８１０ 記録媒体
８１１ コンピュータプログラム
【手続補正２】
【補正対象書類名】特許請求の範囲
【補正対象項目名】全文
【補正方法】変更
【補正の内容】
【特許請求の範囲】
【請求項１】
操作者の手によって接触され、接触位置を検出する位置検出部を備え、複数の操作を受付ける操作受付装置において、
前記位置検出部が検出した接触位置に基づいて、前記手をなす複数の部位のうち前記位置検出部に接触した部位を特定する部位特定手段と、
該部位特定手段が特定した部位に基づいて、前記複数の操作のうち少なくとも１つの操作を特定する操作特定手段と、
前記位置検出部が検出した接触位置に基づいて、前記操作特定手段が特定した操作を受付ける操作受付手段と
を備えることを特徴とする操作受付装置。
【請求項２】
前記位置検出部は、複数の接触位置を検出可能にしてあり、
前記部位特定手段は、前記位置検出部が検出した接触位置の個数に基づいて前記部位を特定するよう構成してある
ことを特徴とする請求項１に記載の操作受付装置。
【請求項３】
操作者の手によって接触され、接触位置を検出する透光性の位置検出部を備え、複数の操作を受付ける操作受付装置において、
前記位置検出部を透過する光の光強度を検出する光強度検出手段と、
該光強度検出手段が検出した光強度に基づいて、前記手をなす複数の部位のうち前記位置検出部に接触した部位を特定する部位特定手段と、
該部位特定手段が特定した部位に基づいて、前記複数の操作のうち少なくとも１つの操作を特定する操作特定手段と、
前記位置検出部が検出した接触位置に基づいて、前記操作特定手段が特定した操作を受付ける操作受付手段と
を備えることを特徴とする操作受付装置。
【請求項４】
前記位置検出部はドーム状をなすことを特徴とする請求項１から請求項３までのいずれか一項に記載の操作受付装置。
【請求項５】
前記複数の部位は、手のひら及び指先であり、
前記部位特定手段は、手のひら又は指先を特定するよう構成してある
ことを特徴とする請求項１から請求項４までのいずれか一項に記載の操作受付装置。
【請求項６】
前記位置検出部はドーム状をなし、
前記操作受付手段は、前記部位特定手段が手のひらを特定した場合、前記位置検出部のドーム経線に略平行な摺動操作又は前記位置検出部のドーム頂点を略中心として回転する摺動操作を受付けるよう構成してあることを特徴とする請求項５に記載の操作受付装置。
【請求項７】
操作画面を表示する表示部を備え、
前記操作受付手段は、前記部位特定手段が指先を特定した場合、前記操作画面に応じた操作を受付けるよう構成してある
ことを特徴とする請求項５又は請求項６に記載の操作受付装置。
【請求項８】
前記部位特定手段が特定した部位に基づいて、被操作機器が有する複数の機能のうち少なくとも１つの機能を特定する機能特定手段を備え、
前記操作受付手段は、前記機能特定手段が特定した機能に対応する操作を受付けるよう構成してあることを特徴とする請求項１から請求項７までのいずれか一項に記載の操作受付装置。
【請求項９】
前記位置検出部はタッチパネルであることを特徴とする請求項１から請求項８までのいずれか一項に記載の操作受付装置。
【請求項１０】
操作者の手によって接触された位置検出部が検出した接触位置に基づいて、複数の操作を受付ける操作受付装置が備えるコンピュータに、前記複数の操作のうち少なくとも１つの操作を特定させるコンピュータプログラムにおいて、
コンピュータに、
前記位置検出部が検出した接触位置に基づいて、前記手をなす複数の部位のうち前記位置検出部に接触した部位を特定する部位特定ステップと、
該部位特定ステップで特定した部位に基づいて、前記複数の操作のうち少なくとも１つの操作を特定する操作特定ステップと
を実行させるコンピュータプログラム。
【請求項１１】
操作者の手によって接触された位置検出部が検出した１つ又は複数の接触位置に基づいて、複数の操作を受付ける操作受付装置が備えるコンピュータに、前記複数の操作のうち少なくとも１つの操作を特定させるコンピュータプログラムにおいて、
コンピュータに、
前記位置検出部が検出した接触位置の個数に基づいて、前記手をなす複数の部位のうち前記位置検出部に接触した部位を特定する部位特定ステップと、
該部位特定ステップで特定した部位に基づいて、前記複数の操作のうち少なくとも１つの操作を特定する操作特定ステップと
を実行させるコンピュータプログラム。
【請求項１２】
光強度検出部が検出した透光性の位置検出部を透過する光の光強度に基づいて、複数の操作を受付ける操作受付装置が備えるコンピュータに、前記複数の操作のうち少なくとも１つの操作を特定させるコンピュータプログラムであって、
コンピュータに、
前記光強度検出部が検出した光強度に基づいて、操作者の手をなす複数の部位のうち前記位置検出部に接触した部位を特定する部位特定ステップと、
該部位特定ステップで特定した部位に基づいて、前記複数の操作のうち少なくとも１つの操作を特定する操作特定ステップと
を実行させるコンピュータプログラム。
【国際調査報告】
2010067537.tif 000037
2010067537.tif 000038